(57)【特許請求の範囲】
【請求項１】
直接拡散方式により拡散変調された広帯域の希望信号と狭帯域の干渉信号とを含んだ入力信号から当該干渉信号を除去する干渉信号除去装置において、
前記入力信号に含まれる所定の閾値以下のレベルを有する信号が雑音レベル以下となるように、前記入力信号のデジタル値の有効語長を制限する制御を行う入力信号制御手段と、
適応フィルタにより、前記入力信号からフィルタタップ係数に応じた信号を抽出する干渉信号抽出手段と、
前記干渉信号抽出手段により抽出された信号を前記入力信号から除去する干渉信号除去手段と、
前記入力信号制御手段によりデジタル値の有効語長が制限された信号と前記干渉信号除去手段により前記抽出された信号が除去された信号とに基づいて、前記入力信号に含まれる干渉信号と前記適応フィルタにより抽出される信号が同じになるように前記適応フィルタのフィルタタップ係数を演算する干渉信号推定手段と、
を備えたことを特徴とする干渉信号除去装置。
【請求項２】
直接拡散方式により拡散変調された広帯域の希望信号と狭帯域の干渉信号とを含んだ入力信号から当該干渉信号を除去する干渉信号除去装置において、
前記入力信号に含まれる所定の閾値以下のレベルを有する信号が雑音レベル以下となるように、前記入力信号のデジタル値の有効語長を制限する制御を行う入力信号制御手段と、
適応フィルタにより、前記入力信号制御手段によりデジタル値の有効語長が制限された信号からフィルタタップ係数に応じた信号を抽出する干渉信号抽出手段と、
前記干渉信号抽出手段により抽出された信号を前記入力信号から除去する干渉信号除去手段と、
前記入力信号制御手段によりデジタル値の有効語長が制限された信号と前記干渉信号除去手段により前記抽出された信号が除去された信号とに基づいて、前記入力信号に含まれる干渉信号と前記適応フィルタにより抽出される信号が同じになるように前記適応フィルタのフィルタタップ係数を演算する干渉信号推定手段と、
を備えたことを特徴とする干渉信号除去装置。
【請求項３】
直接拡散方式により拡散変調された広帯域の希望信号と狭帯域の干渉信号とを含んだ入力信号から当該干渉信号を除去する干渉信号除去装置において、
前記入力信号に含まれる所定の閾値以下のレベルを有する信号が雑音レベル以下となるように、前記入力信号に雑音を加える制御を行う入力信号制御手段と、
適応フィルタにより、前記入力信号からフィルタタップ係数に応じた信号を抽出する干渉信号抽出手段と、
前記干渉信号抽出手段により抽出された信号を前記入力信号から除去する干渉信号除去手段と、
前記入力信号制御手段により雑音が加えられた信号と前記干渉信号除去手段により前記抽出された信号が除去された信号とに基づいて、前記入力信号に含まれる干渉信号と前記適応フィルタにより抽出される信号が同じになるように前記適応フィルタのフィルタタップ係数を演算する干渉信号推定手段と、
を備えたことを特徴とする干渉信号除去装置。
【請求項４】
直接拡散方式により拡散変調された広帯域の希望信号と狭帯域の干渉信号とを含んだ入力信号から当該干渉信号を除去する干渉信号除去装置において、
前記入力信号に含まれる所定の閾値以下のレベルを有する信号が雑音レベル以下となるように、前記入力信号に雑音を加える制御を行う入力信号制御手段と、
適応フィルタにより、前記入力信号制御手段により雑音が加えられた信号からフィルタタップ係数に応じた信号を抽出する干渉信号抽出手段と、
前記干渉信号抽出手段により抽出された信号を前記入力信号から除去する干渉信号除去手段と、
前記入力信号制御手段により雑音が加えられた信号と前記干渉信号除去手段により前記抽出された信号が除去された信号とに基づいて、前記入力信号に含まれる干渉信号と前記適応フィルタにより抽出される信号が同じになるように前記適応フィルタのフィルタタップ係数を演算する干渉信号推定手段と、
を備えたことを特徴とする干渉信号除去装置。
【請求項５】
直接拡散方式により拡散変調された広帯域の希望信号と狭帯域の干渉信号とを含んだ入力信号から当該干渉信号を除去する干渉信号除去装置において、
前記入力信号に含まれる干渉信号のレベルを推定する干渉信号レベル推定手段を有し、前記入力信号に含まれる所定の閾値以下のレベルを有する信号が雑音レベル以下となるように、前記入力信号に、前記干渉信号レベル推定手段により推定された干渉信号のレベルに基づいて決定される１未満の制御係数を乗算する制御を行う入力信号制御手段と、
適応フィルタにより、前記入力信号からフィルタタップ係数に応じた信号を抽出する干渉信号抽出手段と、
前記干渉信号抽出手段により抽出された信号を前記入力信号から除去する干渉信号除去手段と、
前記入力信号制御手段により１未満の制御係数が乗算された信号と前記干渉信号除去手段により前記抽出された信号が除去された信号とに基づいて、前記入力信号に含まれる干渉信号と前記適応フィルタにより抽出される信号が同じになるように前記適応フィルタのフィルタタップ係数を演算する干渉信号推定手段と、
を備えたことを特徴とする干渉信号除去装置。
【請求項６】
直接拡散方式により拡散変調された広帯域の希望信号と狭帯域の干渉信号とを含んだ入力信号から当該干渉信号を除去する干渉信号除去装置において、
前記入力信号に含まれる干渉信号のレベルを推定する干渉信号レベル推定手段を有し、前記入力信号に含まれる所定の閾値以下のレベルを有する信号が雑音レベル以下となるように、前記入力信号に、前記干渉信号レベル推定手段により推定された干渉信号のレベルに基づいて決定される１未満の制御係数を乗算する制御を行う入力信号制御手段と、
適応フィルタにより、前記入力信号制御手段により１未満の制御係数が乗算された信号からフィルタタップ係数に応じた信号を抽出する干渉信号抽出手段と、
前記干渉信号抽出手段により抽出された信号を前記入力信号から除去する干渉信号除去手段と、
前記入力信号制御手段により１未満の制御係数が乗算された信号と前記干渉信号除去手段により前記抽出された信号が除去された信号とに基づいて、前記入力信号に含まれる干渉信号と前記適応フィルタにより抽出される信号が同じになるように前記適応フィルタのフィルタタップ係数を演算する干渉信号推定手段と、
を備えたことを特徴とする干渉信号除去装置。
【請求項７】
請求項１乃至請求項４のいずれか１項に記載の干渉信号除去装置において、
前記入力信号制御手段は、前記入力信号に含まれる干渉信号のレベルを推定する干渉信号レベル推定手段を有し、推定した干渉信号のレベルに基づいて前記入力信号に対して制御を行うことを特徴とする干渉信号除去装置。
【請求項８】
請求項１乃至請求項７のいずれか１項に記載の干渉信号除去装置を備え、移動局装置から無線受信した信号を当該干渉信号除去装置に入力して当該信号に含まれる干渉信号を当該干渉信号除去装置により除去することを特徴とする移動通信システムの基地局装置。
【請求項９】
請求項１乃至請求項７のいずれか１項に記載の干渉信号除去装置を１以上のブランチに備え、当該ブランチの信号を当該干渉信号除去装置に入力して当該信号に含まれる干渉信号を当該干渉信号除去装置により除去することを可能としたことを特徴とするダイバーシチ受信装置。
【発明の詳細な説明】
【０００１】
【発明の属する技術分野】
本発明は、広帯域の希望信号と狭帯域の干渉信号とを含んだ入力信号から当該干渉信号を除去する干渉信号除去装置などに関し、特に、比較的大きいレベルを有する干渉信号のみを入力信号から除去することにより、干渉除去後の入力信号の品質を向上させる技術に関する。
【０００２】
【従来の技術】
例えば受信機により受信する受信信号には、受信を希望する信号（希望信号）と共に、当該希望信号に干渉してしまう信号（干渉信号）が含まれる場合がある。
まず、ＩＥＥＥ８０２．１１の無線ＬＡＮ（Local Area Network）を例として、広帯域の希望信号と狭帯域の干渉信号に関して説明する。
【０００３】
なお、「広帯域」や「狭帯域」という語は相対的な意味で用いられており、具体的には、狭帯域干渉信号の占有帯域幅と比較して十分にその占有帯域幅が広い信号のことを広帯域信号と言い、例えば狭帯域干渉信号の占有帯域幅の１０倍以上の占有帯域幅を有する信号のことを広帯域信号と言う。一例として、ここで説明する無線ＬＡＮでは、広帯域信号の占有帯域幅が例えば２６ＭＨｚ（１波当たりの周波数）であり、狭帯域信号の占有帯域幅が例えば２ＭＨｚ（１波当たりの周波数）である。
【０００４】
ＩＥＥＥ８０２．１１の無線ＬＡＮでは、大別すると、直接拡散（ＤＳＳＳ：Direct Sequence Spread Spectrum）方式と周波数ホッピング（ＦＨＳＳ：Frequency Hopping Spread Spectrum）方式とが用いられており、これらの変調波の違いから、ＤＳＳＳ方式による信号を広帯域信号とみなす一方、ＦＨＳＳ方式による信号を狭帯域信号とみなすことができる。そして、両方式では同じ周波数帯域を使用して無線通信を行っており、システム的に互いの干渉を許しているので、当然のことながら両方式による信号同士で干渉が発生する。
【０００５】
ここで、ＤＳＳＳ方式は、狭帯域の信号を周波数拡散により広帯域の信号として通信（送信）を行い、受信側では復調過程で当該信号を元の狭帯域の信号に戻す通信方式である。このため、ＤＳＳＳ方式では、受信信号に含まれる狭帯域干渉信号が復調過程で広帯域信号に拡散されることにより、当該干渉信号を抑圧することができる。このような拡散の前後の比率を拡散率と言い、例えば拡散率が１２８である場合には約２１ｄＢ（正確には、１０ＬＯＧ１２８）の利得が得られることになる。
【０００６】
一方、ＦＨＳＳ方式は、狭帯域の信号を、特定時間毎にその送信周波数を変化させることにより広帯域を利用して、通信する方式である。このため、ＦＨＳＳ方式では、特定の時間を固定して見た場合の占有帯域幅は例えば２ＭＨｚと狭くなり、ＤＳＳＳ方式の当該帯域当たりの電力が相対的に低くなることから、ＦＨＳＳ方式を採用した受信機の受信フィルタにより干渉の影響を抑えることができる。
【０００７】
また、ＦＨＳＳ方式では、例えば別の通信機が異なるホッピングパターンのＦＨＳＳ方式により信号の通信を行っている場合においても、同一の周波数を同一の時刻に使用してしまう確率は低いため、これらの間での干渉はほとんど問題とはならない。更に、ＦＨＳＳ方式では、ＤＳＳＳ方式と比べて広い帯域を利用して周波数ホッピングを行うことができるため、ＤＳＳＳ方式から強い干渉が発生した場合においても、干渉を受けていない周波数帯域で信号受信を行うことが可能である。
【０００８】
しかしながら、上記したＤＳＳＳ方式では、信号伝送速度を高速にするために拡散率を下げる場合がある。具体例として、拡散率が１１に下げられた場合には利得が約１０ｄＢ（正確には、１０ＬＯＧ１１）に下がってしまい、また、それ以下の拡散率では更に利得が低下してしまい、干渉信号の抑圧効果が得られなくなってしまうことがある。
また、例えばＦＨＳＳ方式を利用したＢｌｕｅｔｏｏｔｈ（ショートレンジモバイルサービス）等の規格が携帯機器間の無線インタフェースとして広く使われ始めていることから、ＤＳＳＳ方式による信号が干渉を受けてしまう確率が高まっている。
【０００９】
また、他の例として、Ｗ−ＣＤＭＡ（Wideband-Code Division Multiple Access）方式の通信信号とＰＨＳ（Personal Handyphone System）方式の通信信号との間で隣接周波数帯域における干渉が発生してしまうことや、２．４ＧＨｚ帯の無線ＬＡＮ（ＩＥＥＥ８０２．１１）の広帯域信号とＢｌｕｅｔｏｏｔｈの狭帯域信号との間で干渉が発生してしまうことや、ＣＤＭＡ方式の通信信号とＴＤＭＡ（Time Division Multiple Access）方式やＦＤＭＡ（Frequency Division Multiple Access）方式の通信信号との間で周波数帯域の共用による干渉が発生してしまうことや、予期せぬ外来波との干渉が発生してしまうこと等が考えられる。
【００１０】
なお、上記のような干渉を除去する技術として、従来より、適応アルゴリズムを用いた干渉信号の除去方法や、ノッチフィルタ等のフィルタを用いた干渉信号の除去方法などが検討等されている。一例として、「周波数帯域を共用するＤＳ−ＣＤＭＡ／ＴＤＭＡ信号一括受信機への複素マルチレートフィルタバンクの応用（電子情報通信学会論文誌Ｂ−ＩＩ  Ｖｏｌ．Ｊ８０−ＢＩＩ  Ｎｏ１２  １９９７年１２月）」には、マルチレートフィルタバンクを用いたノッチフィルタにより、広帯域信号に干渉した狭帯域信号を除去する技術が記載されている。しかしながら、この技術では、狭帯域信号を除去する際に希望波である広帯域信号の成分もフィルタにより除去してしまうため、干渉波除去後のビット誤り率が劣化してしまうといった問題がある。
【００１１】
次に、従来例に係る干渉信号除去装置の一例を示す。なお、干渉信号除去装置は例えば無線通信を行う受信機に設けられ、当該受信機により受信される信号に含まれる干渉信号を除去する。
図１７には、干渉信号除去装置の一例を示してあり、この装置には、干渉信号推定部１４１と、干渉信号抽出部１４２と、合成器１４３とが備えられている。なお、ここで、ｔは時刻を示す。
【００１２】
干渉信号推定部１４１は、広帯域の希望信号と複数の狭帯域の干渉信号とが合成された受信信号ｒ（ｔ）及び干渉除去後の受信信号ｅ（ｔ）を入力して、一般的な適応アルゴリズムを用いて当該受信信号ｒ（ｔ）に含まれる干渉信号を推定し、当該推定結果に基づく干渉信号推定係数ｈ（ｔ＋１）を干渉信号抽出部１４２へ出力する。
干渉信号抽出部１４２は、受信信号ｒ（ｔ）を入力して、干渉信号推定部１４１から入力される干渉信号推定係数ｈ（ｔ＋１）に基づいて当該受信信号ｒ（ｔ）から干渉信号（とみなされるもの）Ｖ（ｔ）を抽出し、当該干渉信号Ｖ（ｔ）を合成器１４３へ出力する。
【００１３】
合成器１４３は、受信信号ｒ（ｔ）と干渉信号抽出部１４２からの干渉信号Ｖ（ｔ）とを逆位相で（つまり、干渉信号Ｖ（ｔ）が受信信号ｒ（ｔ）から除去されるように）合成して、干渉信号Ｖ（ｔ）が除去された後の受信信号ｅ（ｔ）を出力する。なお、合成器１４３から出力される干渉除去後の受信信号ｅ（ｔ）の一部は上記した干渉信号推定部１４１に入力されて、干渉信号の推定に用いられる。
【００１４】
次に、ＣＤＭＡ方式や、ＣＤＭＡ方式における干渉信号除去装置の例を示す。
例えばＤＳ−ＣＤＭＡ方式を用いた移動通信システムでは、各移動局装置に異なる拡散符号を割り当てることで複数の移動局装置と基地局装置との多重通信を実現している。具体的には、各移動局装置では送信対象となる信号を自己に割り当てられた拡散符号により拡散変調して送信する一方、基地局装置では各移動局装置に割り当てられた拡散符号を用いて受信信号を逆拡散することで希望の移動局装置からの信号を復調する。また、同様に、移動局装置では基地局装置からの受信信号を自己に割り当てられた拡散符号により逆拡散することで自己宛の信号を復調する。
【００１５】
図１８には、例えばＰＮ（疑似雑音信号）系列から構成された拡散符号系列の一例を示してある。
同図に示されるように、１単位（１シンボル分）の拡散符号は複数のチップデータ（例えば”１”値と”−１”値の並び）から構成されており、このチップデータの並びのパターンを異ならせることにより複数の異なる拡散符号を生成することができる。ここで、拡散符号は、例えば或る拡散符号を１チップ時間以上ずらすと当該拡散符号との相関がなくなるといった特性を有している。
【００１６】
また、同図には、１つのチップデータの時間幅（チップ区間Ｔｃ）と１シンボル分の拡散符号の時間幅（ビット区間Ｔ）とを示してある。ここで、１シンボル分の拡散符号の時間幅は、送信機（例えば移動局装置や基地局装置）から受信機（例えば基地局装置や移動局装置）へ送信する送信データ（例えば”１”値と”０”値）の時間幅と対応している。すなわち、拡散符号を構成するチップデータの変化速度は、当該拡散符号により拡散変調される送信データの切換速度（シンボル切換速度）に比べて非常に速い速度となっている。
【００１７】
上述のように、このような無線通信では、周波数の利用を許可されて通信に用いている広帯域の周波数帯域内に、意図に反して他の（すなわち、ＣＤＭＡ方式以外の）狭帯域信号等が入り混じって干渉を生じさせてしまう場合がある。このような干渉信号が例えばシステム設計時に想定していた雑音等による妨害の程度より大きい場合には、ビット誤りが増大して、受信機での受信品質が著しく劣化してしまうことが生じる。
【００１８】
また、上述のように、例えば周波数帯域の有効利用を目的として、ＣＤＭＡ方式のように比較的広い周波数帯域を用いて通信する方式とＦＭ（周波数変調）方式等のように狭帯域を用いて通信する方式とにより多重通信を実現することも考えられる。具体的には、例えばＣＤＭＡ方式による拡散信号の周波数帯域にＦＭ方式等のアナログ通信方式による信号を多重して周波数帯域の有効利用を図ることが原理的には可能である。しかしながら、もしもＣＤＭＡ受信機が受信信号からＦＭ方式等による信号を除去できないとすると、当該信号と拡散信号とが互いに干渉してしまうため、ビット誤りが増加し、受信品質の劣化を招いてしまう。
【００１９】
なお、図１９には、ＣＤＭＡ方式による拡散信号（ＣＤＭＡ信号）とＦＭ方式による信号（ＦＭ干渉波）とを含む受信信号のスペクトルの一例を示してあり、横軸は周波数を示し、縦軸はスペクトル強度を示している。
【００２０】
以下で、図２０〜図２４を参照して、例えば特願平１１−１９７２９６号公報に記載された干渉信号除去装置（干渉除去回路）の例を示す。なお、この文献に記載された干渉信号除去装置は、例えばＣＤＭＡ方式を採用する基地局装置や移動局装置や中継局装置等に設けられ、ＣＤＭＡ方式により拡散変調された広帯域の拡散信号と狭帯域の干渉信号とを含む受信信号や受信信号のＩ成分及びＱ成分から当該干渉信号を除去するものであり、特に、拡散信号の特性を利用して干渉信号を除去するものである。
【００２１】
図２０には、ＣＤＭＡ信号（希望信号）とＦＭ信号（干渉信号）とを含む受信信号を入力して、当該入力信号ｒ（ｔ）から当該ＦＭ信号を除去する干渉信号除去装置の一例を示してある。この干渉信号除去装置では、ＣＤＭＡ方式により拡散変調された拡散信号と干渉信号とを含む受信信号から当該干渉信号を除去するに際して、時間差手段１５１が受信信号を分配して得られる２つの信号間に拡散符号の１チップ分以上の時間差を与え、抽出手段１５２、１５４が時間差を与えた２つの信号間で相関のある信号成分を干渉信号成分として抽出し、除去手段１５３が抽出した干渉信号成分を受信信号から除去する。
【００２２】
具体的には、同図に示した干渉除去装置には、受信信号を遅延させる遅延素子１５１と、後述するフィルタタップ係数演算制御部１５４からのタップ係数制御信号に従って遅延した受信信号から干渉信号成分を抽出する適応フィルタ１５２と、受信信号から当該干渉信号成分を除去する減算器１５３と、減算器１５３からの出力信号と遅延した受信信号とに基づくタップ係数制御信号を適応フィルタ１５２へ出力するフィルタタップ係数演算制御部１５４とが備えられている。
【００２３】
同図に示した回路の構成例及び動作例を説明する。
この回路には受信機により受信した信号ｒ（ｔ）が入力され、この入力信号ｒ（ｔ）には、例えばＣＤＭＡ方式により拡散変調された拡散信号と狭帯域を用いた通信方式による干渉信号（例えばＦＭ変調信号）が含まれている。ここで、ｔは時刻を示しており、本例では１サンプル時間を最小単位とする整数の離散値であるとする。
【００２４】
上記した入力信号ｒ（ｔ）は、まず２つの信号に分配されて、一方の信号が遅延素子１５１に入力される一方、他方の信号が減算器１５３に入力される。
遅延素子１５１は入力した信号を拡散符号の１チップ分の時間幅以上遅延させて出力する機能を有している。なお、この時間差としては、例えば当該２つの信号間で拡散信号の相関成分をなくすことができ、且つ、除去しようとする干渉信号の相関成分を残すことができる程度の値に予め設定されている。
【００２５】
具体的には、遅延素子１５１から出力される信号はｒ（ｔ−τ）と表され、ここで、τは遅延素子１５１により与えられる遅延時間である。
遅延素子１５１から出力される信号ｒ（ｔ−τ）は適応フィルタ１５２及びフィルタタップ係数演算制御部１５４に入力される。
【００２６】
ここで、図２１には、適応フィルタ１５２の構成例を示してある。
同図に示した適応フィルタ１５２には、例えば直列に並べられた（ｎ−１）個の記憶素子Ｓ1〜Ｓn-1から構成されるシフトレジスタと、ｎ個の乗算器Ｊ1〜Ｊnと、（ｎ−１）個の加算器Ｋ1〜Ｋn-1とが備えられている。なお、ｎはフィルタタップ数である。
【００２７】
シフトレジスタには遅延素子１５１から出力される信号ｒ（ｔ−τ）が入力され、この信号が複数の記憶素子Ｓ1〜Ｓn-1に時系列的に格納される。また、各記憶素子Ｓ1〜Ｓn-1に格納される信号は順次後続する記憶素子へシフトされていく。
具体的に、例えばシフトレジスタに入力される信号ｒ（ｔ−τ）の当該シフトレジスタ内における系列ｕ（ｔ）は式１で示される。ここで、ｕ（ｔ）はベクトルである。
なお、本明細書では、信号等を表すものとして用いる記号がベクトルである旨や行列である旨を示さない場合には、当該記号はスカラーであるとする。
【００２８】
【数１】
0004548954.tif 000002
【００２９】
ここで、信号ｒ１は或る時刻にシフトレジスタに入力される信号であり、いずれの記憶素子Ｓ1〜Ｓn-1も通過せずに乗算器Ｊ1へ出力される信号である。また、信号ｒ２〜ｒｎはそれぞれ当該時刻に各記憶素子Ｓ1〜Ｓn-1から出力される信号であり、それぞれ各乗算器Ｊ2〜Ｊnへ出力される信号である。
【００３０】
各乗算器Ｊ1〜Ｊnにはそれぞれ上記した各信号ｒ１〜ｒｎが入力されるとともに、後述するフィルタタップ係数演算制御部１５４からの各タップ係数制御信号ｈ１〜ｈｎが入力され、各乗算器Ｊ1〜Ｊnでは入力した２つの信号を乗算して（すなわち、各信号ｒ１〜ｒｎを各タップ係数制御信号ｈ１〜ｈｎで重み付けして）当該乗算結果を加算器Ｋ1〜Ｋn-1へ出力する。
ここで、フィルタタップ係数演算制御部１５４から出力されるフィルタタップ係数系列ｈ（ｔ）は式２で示される。なお、ｈ（ｔ）はベクトルである。
【００３１】
【数２】
0004548954.tif 000003
【００３２】
また、各乗算器Ｊ1〜Ｊnから出力される乗算結果は加算器Ｋ1〜Ｋn-1により総和され、当該総和結果が適応フィルタ１５２から出力される。ここで、後述するように本例のフィルタタップ係数系列ｈ（ｔ）は、当該総和結果が受信信号中に含まれる干渉信号成分と同じ信号となるように、フィルタタップ係数演算制御部１５４により逐次更新される。
具体的に、適応フィルタ１５２から出力される信号（すなわち、上記した総和結果）ＦＭ（ｔ）は式３で示される。ここで、式３中のΣは和を表している。
【００３３】
【数３】
0004548954.tif 000004
【００３４】
なお、本明細書で用いる記号“＊”は、当該記号の前後に配置される記号同士の乗算を示し、特に、ベクトル同士の乗算は、２つのベクトルの内積値を算出する演算を表している。
【００３５】
上記のようにして適応フィルタ１５２では、フィルタタップ係数演算制御部１５４からのタップ係数制御信号に応じて、入力した遅延信号ｒ（ｔ−τ）から上記した干渉信号成分を抽出し、干渉波抽出信号ＦＭ（ｔ）として減算器１５３へ出力する。
【００３６】
減算器１５３は遅延していない入力信号ｒ（ｔ）と適応フィルタ１５２からの出力信号ＦＭ（ｔ）とを入力し、当該入力信号ｒ（ｔ）から当該出力信号ＦＭ（ｔ）を減算して当該減算結果ｅ（ｔ）を出力する機能を有している。
ここで、上記した減算結果ｅ（ｔ）は本例の干渉信号除去装置から出力される信号であり、式４で示される。
【００３７】
【数４】
0004548954.tif 000005
【００３８】
本例では、後述するフィルタタップ係数演算制御部１５４からのタップ係数制御信号が逐次更新されることで、上記した干渉波抽出信号ＦＭ（ｔ）が受信信号中の干渉信号と同じ信号となるため、上記した減算結果ｅ（ｔ）は受信信号から当該干渉信号を除去した信号、すなわちＣＤＭＡ方式による拡散信号（理想的には、当該拡散信号のみ）となる。
【００３９】
フィルタタップ係数演算制御部１５４には遅延素子１５１から出力される信号ｒ（ｔ−τ）と減算器１５３から出力される信号ｅ（ｔ）とが入力され、フィルタタップ係数演算制御部１５４はこれらの信号を用いて、適応フィルタ１５２から出力される信号ＦＭ（ｔ）が干渉信号成分と同じ信号になるようなタップ係数制御信号を演算し、演算したタップ係数制御信号を適応フィルタ１５２へ出力する機能を有している。
【００４０】
本例のフィルタタップ係数演算制御部１５４では例えばＬＭＳ（Least Mean Square）やＲＬＳ（Recursive Least Square）等のアルゴリズムを用いて上記したタップ係数制御信号を演算することができ、本例では一例として、ＬＭＳアルゴリズムを用いた場合を説明し、また、ＲＬＳアルゴリズムを用いた場合についても後述する。
まず、ＬＭＳの一般式を説明する。
ＬＭＳの更新式は一般に式５で示される。
【００４１】
【数５】
0004548954.tif 000006
【００４２】
ここで、ｈ（ｔ）は時刻ｔにおけるフィルタタップ係数系列であり、μは収束の時間や精度に関係する係数（重み付け係数）であるステップサイズパラメータであり、ｅ（ｔ）は時刻ｔにおけるエラー信号であり、ｕ（ｔ）は時刻ｔにおける入力信号系列である。
また、上記したエラー信号ｅ（ｔ）は一般には式６で示される。
【００４３】
【数６】
0004548954.tif 000007
【００４４】
ここで、ｄ（ｔ）は通常ユニークワードやトレーニング信号と呼ばれるものであり、送信側と受信側とで予め定められた既知の信号が用いられる。上記式５や式６を用いた演算アルゴリズムでは、フィルタタップ係数系列を逐次更新することで、エラー信号ｅ（ｔ）を０に収束させることができる。
【００４５】
次に、上記のＬＭＳアルゴリズムを本例に当てはめた場合を説明する。
上記した式５を本例の場合に当てはめると、ｈ（ｔ）はフィルタタップ係数演算制御部１５４から適応フィルタ１５２へ出力されるフィルタタップ係数系列であり、ｕ（ｔ）は遅延素子１５１からフィルタタップ係数演算制御部１５４へ出力される信号系列（上記式１に示したもの）である。
また、本例では、上記したエラー信号ｅ（ｔ）として減算器１５３から出力される信号（上記式４に示したもの）を用いており、これが本例の干渉除去回路における特徴点となっており、通常のＬＭＳアルゴリズムとは異なる処理となっている。
【００４６】
まず、仮に、遅延素子１５１が備えられていない場合を考えると、上記した演算アルゴリズムはエラー信号ｅ（ｔ）を０に近づけるため、減算器１５３から出力される信号ｅ（ｔ）は０に収束し、受信信号中の干渉信号ばかりでなくＣＤＭＡ方式による拡散信号までをも除去するフィルタタップ係数系列ｈ（ｔ）が生成されてしまう。
【００４７】
一方、本例では上記した遅延素子１５１が備えられているため、遅延素子１５１からフィルタタップ係数演算制御部１５４に入力される信号ｒ（ｔ−τ）と減算器１５３を介してフィルタタップ係数演算制御部１５４に入力される信号ｅ（ｔ）との間には遅延時間τの時間差がある。
【００４８】
ここで、例えばＣＤＭＡ方式による拡散信号ｒ（ｔ）と当該信号に比べて１チップ時間以上遅延した拡散信号ｒ（ｔ−τ）とは無相関の信号となるため、上記した演算アルゴリズムではエラー信号ｅ（ｔ）を０に収束させようとする場合に、ｕ（ｔ）の拡散信号成分はｒ（ｔ）と無相関になっていることから誤差ｅ（ｔ）となって残る。つまり、上記式４において、入力信号系列ｕ（ｔ）を加え続けると拡散信号成分の影響は理論的に０となるため、当該拡散信号成分が除去されずに誤差ｅ（ｔ）となって残ることになる。一方、チップデータに比べて時間的に緩やかに変動する干渉信号成分は例えば数チップ時間程度の遅延があっても相関を有するため、当該干渉信号成分のみを受信信号から除去することができるフィルタタップ係数系列ｈ（ｔ）が生成される。
【００４９】
すなわち、本例に適用した上記の演算アルゴリズムでは、ｕ（ｔ）とｅ（ｔ）とで相関のある成分（すなわち、干渉信号成分）を適応フィルタ１５２からの出力信号中に残す一方、相関のない成分（すなわち、拡散信号成分）については適応フィルタ１５２からの出力信号中に残さないようなフィルタタップ係数系列ｈ（ｔ）を生成することができる。
このような演算アルゴリズムにより、本例の適応フィルタ１５２では受信信号中の干渉信号成分のみを抽出して減算器１５３へ出力することができ、減算器１５３では受信信号から干渉信号成分のみを除去した信号（すなわち、ＣＤＭＡ方式による拡散信号）を出力することができる。
【００５０】
以上のように、上記図２０に示した干渉信号除去装置では、拡散信号の特性を利用することで、ＣＤＭＡ方式により拡散変調された広帯域の拡散信号と狭帯域の干渉信号とを含む受信信号から当該干渉信号を適応的に除去することができ、これにより、受信品質の劣化を防ぎ、受信品質を向上させることができる。
【００５１】
なお、上記図２０では、減算器１５３から出力される信号を遅延させない構成を示したが、例えば図２２に示すように減算器１６３に入力される受信信号を遅延素子１６１により遅延させる一方、適応フィルタ１６２やフィルタタップ係数演算制御部１６４に入力される受信信号を遅延させないような構成によっても上記と同様な効果を得ることができる。ここで、図２２に示した構成は、遅延素子１６１が減算器１６３側に備えられているといった点を除いては、上記図２０に示した構成とほぼ同様である。
【００５２】
また、上記したＬＭＳアルゴリズム以外のアルゴリズムを用いて上記と同様な干渉除去の効果を得ることもでき、一例として、上記図２０に示した構成においてＲＬＳアルゴリズムを用いた場合の更新式の具体例を示しておく。なお、以下では、説明の便宜上から、上記したｕ（ｔ）やｈ（ｔ）やｅ（ｔ）やｄ（ｔ）やｒ（ｔ）に相当するものについては同じ符号を用いて示す。
【００５３】
例えば、上記式１で示したｕ（ｔ）と同様な成分から成るｎ行１列のベクトルを入力系列ｕ（ｔ）とし、上記式２で示したｈ（ｔ）と同様にｎ個のフィルタタップ係数から成るｎ行１列のベクトルをフィルタタップ係数系列ｈ（ｔ）とする。
また、上記式６に示したエラー信号ｅ（ｔ）に相当するものとして、ＲＬＳにおけるエラー信号ｅ（ｔ）は式７で示される。なお、ｕT（ｔ）はｕ（ｔ）を転置したものを示す。
【００５４】
【数７】
0004548954.tif 000008
【００５５】
ここで、本例では、ｄ（ｔ）としては例えば減算器１５３に入力される受信信号ｒ（ｔ）が用いられ、また、上記式７中のｕT（ｔ）＊ｈ（ｔ）が適応フィルタ１５２から出力される干渉波抽出信号に相当する。すなわち、上記したＬＭＳアルゴリズムを用いた場合と同様に、上記式７に示したエラー信号ｅ（ｔ）としては減算器１５３から出力される信号が用いられ、これが本例の特徴点となっている。なお、上記したＬＭＳアルゴリズムを用いた場合と同様に、遅延素子１５１が備えられていない場合にはエラー信号ｅ（ｔ）は０に収束する。
【００５６】
また、例えばｎ行ｎ列の行列である係数誤差相関行列Ｐ（ｔ）及びｎ行１列のベクトルであるゲインベクトルｋ（ｔ）を用いて、ＲＬＳの更新式は式８〜式１０で示される。
【００５７】
【数８】
0004548954.tif 000009
【００５８】
【数９】
0004548954.tif 000010
【００５９】
【数１０】
0004548954.tif 000011
【００６０】
また、上記したフィルタタップ係数系列ｈ（ｔ）の初期値ｈ（０）としては例えば式１１に示すようにゼロベクトルが用いられ、上記した係数誤差相関行列Ｐ（ｔ）の初期値Ｐ（０）としては例えば式１２に示すように行数と列数とが一致する対角要素が全て正の実数ｃであってそれ以外の要素が０である行列が用いられる。なお、ｈT（０）はｈ（０）を転置したものを示す。また、式１２中のＩは行数と列数とが一致する対角要素が全て１であってそれ以外の要素が０であるｎ行ｎ列の行列を示す。
【００６１】
【数１１】
0004548954.tif 000012
【００６２】
【数１２】
0004548954.tif 000013
【００６３】
以上に示したＲＬＳの更新式に従ってフィルタタップ係数演算制御部１５４がフィルタタップ係数系列ｈ（ｔ）を順次更新することで、例えば上記したＬＭＳアルゴリズムを用いた場合と同様に、適応フィルタ１５２から出力される信号を次第に実際の干渉信号成分に近づけることができ、これにより、ＣＤＭＡ方式により拡散変調された広帯域の拡散信号と狭帯域の干渉信号とを含む受信信号から当該干渉信号を除去することができる。
【００６４】
次に、図２３には、ＣＤＭＡ信号（希望信号）とＦＭ信号（干渉信号）とを含む受信信号のＩ成分及びＱ成分を入力して、当該Ｉ成分ｒＩ（ｔ）及び当該Ｑ成分ｒＱ（ｔ）から当該ＦＭ信号を除去する干渉信号除去装置の一例を示してある。この干渉信号除去装置では、ＣＤＭＡ方式により拡散変調された拡散信号と干渉信号とを含む受信信号のＩ成分及びＱ成分から当該干渉信号を除去するに際して、時間差手段１７１ａ、１７１ｂがＩ成分を分配して得られる２つの信号間及びＱ成分を分配して得られる２つの信号間に拡散符号の１チップ分以上の時間差を与え、抽出手段１７２ａ、１７２ｂ、１７３ａ、１７３ｂが時間差を与えた一方のＩ成分及びＱ成分から成る受信信号と他方のＩ成分及びＱ成分から成る受信信号との間で相関のある信号成分を干渉信号成分として当該干渉信号成分のＩ成分及びＱ成分を抽出し、除去手段１７４ａ、１７４ｂ、１７５ａ、１７５ｂが抽出した干渉信号成分のＩ成分を受信信号のＩ成分から除去するとともに抽出した干渉信号成分のＱ成分を受信信号のＱ成分から除去する。
【００６５】
具体的には、同図に示した干渉信号除去装置には、受信信号から直交検波されたＩ相の信号（Ｉ成分）を遅延させる遅延素子１７１ａと、受信信号から直交検波されたＱ相の信号（Ｑ成分）を遅延させる遅延素子１７１ｂと、後述するフィルタタップ係数演算制御部１７６からのタップ係数制御信号に従って遅延したＩ成分やＱ成分から干渉信号成分を抽出する４つの適応フィルタ１７２ａ、１７２ｂ、１７３ａ、１７３ｂと、干渉信号成分のＩ成分を加算する加算器１７４ａと、干渉信号成分のＱ成分を加算する加算器１７４ｂと、受信信号のＩ成分から干渉信号成分のＩ成分を除去する減算器１７５ａと、受信信号のＱ成分から干渉信号成分のＱ成分を除去する減算器１７５ｂと、減算器１７５ａ、１７５ｂからの出力信号と遅延した受信信号のＩ成分及びＱ成分とに基づくタップ係数制御信号を適応フィルタ１７２ａ、１７２ｂ、１７２ａ、１７２ｂへ出力するフィルタタップ係数演算制御部１７６とが備えられている。
【００６６】
同図に示した回路の構成例及び動作例を説明する。
この回路には受信機により受信信号から直交検波されたＩ成分ｒＩ（ｔ）及びＱ成分ｒＱ（ｔ）が入力され、この入力信号ｒＩ（ｔ）、ｒＱ（ｔ）には、例えばＣＤＭＡ方式により拡散変調された広帯域の拡散信号と狭帯域を用いた通信方式による干渉信号（例えばＦＭ変調信号）が含まれている。ここで、上記図２０を用いて説明した場合と同様に、ｔは時刻を示しており、本例では１サンプル時間を最小単位とする整数の離散値であるとする。
【００６７】
上記したＩ成分ｒＩ（ｔ）は、まず２つの信号に分配されて、一方の信号が遅延素子１７１ａに入力される一方、他方の信号が減算器１７５ａに入力される。同様に、上記したＱ成分ｒＱ（ｔ）は、まず２つの信号に分配されて、一方の信号が遅延素子１７１ｂに入力される一方、他方の信号が減算器１７５ｂに入力される。
【００６８】
各遅延素子１７１ａ、１７１ｂは、例えば上記図２０に示した遅延素子１５１と同様に、入力した信号を拡散符号の１チップ分の時間幅以上遅延させて出力する機能を有している。なお、２つの遅延素子１７１ａ、１７１ｂでは同じ遅延時間を与えている。また、上記図２０を用いて説明した場合と同様に、具体的には、遅延素子１７１ａから出力されるＩ成分の信号はｒＩ（ｔ−τ）と表され、遅延素子１７１ｂから出力されるＱ成分の信号はｒＱ（ｔ−τ）と表される。ここで、τは遅延素子１７１ａ、１７１ｂにより与えられる遅延時間である。
【００６９】
遅延素子１７１ａから出力される信号ｒＩ（ｔ−τ）は２つの適応フィルタ１７２ａ、１７３ａ及びフィルタタップ係数演算制御部１７６に入力され、遅延素子１７１ｂから出力される信号ｒＱ（ｔ−τ）は２つの適応フィルタ１７２ｂ、１７３ｂ及びフィルタタップ係数演算制御部１７６に入力される。
【００７０】
各適応フィルタ１７２ａ、１７２ｂ、１７３ａ、１７３ｂの構成は、例えば上記図２１に示したものと同様である。ここで、本例で４つの適応フィルタ１７２ａ、１７２ｂ、１７３ａ、１７３ｂを備えているのはＩ相及びＱ相の複素演算を行うためであり、具体的には、受信信号のＩ成分及びＱ成分のそれぞれの中に干渉信号成分のＩ成分とＱ成分との両方が含まれるためである。また、本例では、Ｉ相とＱ相との２種類のフィルタタップ係数系列ｈＩ（ｔ）、ｈＱ（ｔ）が用いられる。なお、ｈＩ（ｔ）及びｈＱ（ｔ）はベクトルである。
【００７１】
具体的に、本例では、適応フィルタ１７２ａが入力した受信信号のＩ成分ｒＩ（ｔ−τ）から干渉信号成分のＩ成分を抽出し、適応フィルタ１７３ａが入力した受信信号のＩ成分ｒＩ（ｔ−τ）から干渉信号成分のＱ成分を抽出し、適応フィルタ１７２ｂが入力した受信信号のＱ成分ｒＱ（ｔ−τ）から干渉信号成分のＱ成分を抽出し、適応フィルタ１７３ｂが入力した受信信号のＱ成分ｒＱ（ｔ−τ）から干渉信号成分のＩ成分を抽出することができるようなフィルタタップ係数系列ｈＩ（ｔ）、ｈＱ（ｔ）が後述するフィルタタップ係数演算制御部１７６により生成される。
【００７２】
加算器１７４ａは２つの適応フィルタ１７２ａ、１７３ｂから出力される信号を加算して減算器１７５ａへ出力する機能を有しており、減算器１７５ａへ出力される当該加算結果は受信信号のＩ成分中の干渉信号成分（すなわち、干渉信号成分のＩ成分）ＦＭＩ（ｔ）となる。なお、本例では、加算器１７４ａが一方の適応フィルタ１７３ｂから出力される信号の正負を反転させて上記した加算を行うこととしたが、このような正負の反転が例えば上記した適応フィルタ１７３ｂや後述するフィルタタップ係数演算制御部１７６により行われる場合には、加算器１７２ａでは上記のような正負の反転は行われなくてよい。
【００７３】
加算器１７４ｂは２つの適応フィルタ１７２ｂ、１７２ａから出力される信号を加算して減算器１７５ｂへ出力する機能を有しており、減算器１７５ｂへ出力される当該加算結果は受信信号のＱ成分中の干渉信号成分（すなわち、干渉信号成分のＱ成分）ＦＭＱ（ｔ）となる。
【００７４】
ここで、上記した加算器１７４ａから出力される干渉信号成分のＩ成分ＦＭＩ（ｔ）は式１３で示され、上記した加算器１７４ｂから出力される干渉信号成分のＱ成分ＦＭＱ（ｔ）は式１４で示される。なお、式１３及び式１４中のｕＩ（ｔ）及びｕＱ（ｔ）はベクトルであり、これらｕＩ（ｔ）及びｕＱ（ｔ）は例えば上記図２０を用いた説明中において式１で示したｕ（ｔ）のＩ成分及びＱ成分に相当している。
【００７５】
【数１３】
0004548954.tif 000014
【００７６】
【数１４】
0004548954.tif 000015
【００７７】
減算器１７５ａは遅延していないＩ成分の入力信号ｒＩ（ｔ）と加算器１７５ａからの出力信号ＦＭＩ（ｔ）とを入力し、当該入力信号ｒＩ（ｔ）から当該出力信号ＦＭＩ（ｔ）を減算して当該減算結果ｅＩ（ｔ）を出力する機能を有している。
同様に、減算器１７５ｂは遅延していないＱ成分の入力信号ｒＱ（ｔ）と加算器１７４ｂからの出力信号ＦＭＱ（ｔ）とを入力し、当該入力信号ｒＱ（ｔ）から当該出力信号ＦＭＱ（ｔ）を減算して当該減算結果ｅＱ（ｔ）を出力する機能を有している。
ここで、上記した減算結果ｅＩ（ｔ）、ｅＱ（ｔ）は本例の干渉信号除去装置から出力される信号である。
【００７８】
本例では、後述するフィルタタップ係数演算制御部１７６からのタップ係数制御信号が逐次更新されることで、上記したＩ成分及びＱ成分の干渉波抽出信号ＦＭＩ（ｔ）、ＦＭＱ（ｔ）がそれぞれ受信信号のＩ成分及びＱ成分中の干渉信号と同じ信号となるため、上記した減算結果ｅＩ（ｔ）、ｅＱ（ｔ）はそれぞれ受信信号のＩ成分及びＱ成分から当該干渉信号を除去した信号、すなわちＣＤＭＡ方式による拡散信号（理想的には、当該拡散信号のみ）となる。
【００７９】
フィルタタップ係数演算制御部１７６には２つの遅延素子１７１ａ、１７１ｂから出力される信号ｒＩ（ｔ−τ）、ｒＱ（ｔ−τ）と２つの減算器１７５ａ、１７５ｂから出力される信号ｅＩ（ｔ）、ｅＱ（ｔ）とが入力され、フィルタタップ係数演算制御部１７６はこれらの信号を用いて、各適応フィルタ１７２ａ、１７２ｂ、１７３ａ、１７３ｂから出力される信号が上記したような干渉信号成分となるようなタップ係数制御信号を演算してそれぞれの適応フィルタ１７２ａ、１７２ｂ、１７３ａ、１７３ｂへ出力する機能を有している。なお、本例では、例えば２つの適応フィルタ１７２ａ、１７２ｂへ同じタップ係数制御信号が出力される一方、残りの２つの適応フィルタ１７３ａ、１７３ｂへ同じタップ係数制御信号が出力されることで、上記式１３や上記式１４で示した干渉信号成分ＦＭＩ（ｔ）、ＦＭＱ（ｔ）が生成されるように設定してある。
【００８０】
本例のフィルタタップ係数演算制御部１７６では、例えば上記図２０を用いた説明において示したＬＭＳの複素演算用のアルゴリズムを用いてタップ係数制御信号を演算している。なお、このアルゴリズムにおけるＬＭＳの更新式は式１５及び式１６で示される。
【００８１】
【数１５】
0004548954.tif 000016
【００８２】
【数１６】
0004548954.tif 000017
【００８３】
ここで、ｈＩ（ｔ）やｈＱ（ｔ）は時刻ｔにおけるフィルタタップ係数系列であり、μは収束の時間や精度に関係する係数であるステップサイズパラメータであり、ｕＩ（ｔ）やｕＱ（ｔ）は上記のようにそれぞれ適応フィルタ１７２ａ、１７３ａのシフトレジスタ内や適応フィルタ１７２ｂ、１７３ｂのシフトレジスタ内における入力信号系列である。また、上記図２０を用いて説明した場合と同様に、ｅＩ（ｔ）やｅＱ（ｔ）としては、それぞれ減算器１７５ａや減算器１７５ｂから出力される信号を用いている。なお、ｕＩ（ｔ）及びｕＱ（ｔ）は上記したようにベクトルである。
【００８４】
本例では、上記図２０を用いて説明した場合と同様に、上記のような演算アルゴリズムによりフィルタタップ係数系列ｈＩ（ｔ）、ｈＱ（ｔ）を順次更新していくことで、拡散信号成分についてはその無相関性により除去されず、且つ、比較的相関性のある干渉信号成分を除去することができるフィルタタップ係数系列ｈＩ（ｔ）、ｈＱ（ｔ）を生成することができる。
また、本例では、フィルタタップ係数系列ｈＩ（ｔ）、ｈＱ（ｔ）を演算するに際してＩ成分及びＱ成分の両方を考慮しているため、干渉除去の精度を更に向上させることができる。
【００８５】
以上のように、上記図２３に示した干渉信号除去装置では、拡散信号の特性を利用することで、ＣＤＭＡ方式により拡散変調された拡散信号と干渉信号とを含む受信信号のＩ成分及びＱ成分から当該干渉信号を除去することができ、これにより、受信品質の劣化を防ぎ、受信品質を向上させることができる。
【００８６】
なお、上記図２３では、上記図２０を用いて説明した場合と同様に、減算器１７５ａ、１７５ｂから出力される信号を遅延させない構成を示したが、例えば図２４に示すように減算器１８５ａ、１８５ｂに入力される受信信号を遅延素子１８１ａ、１８１ｂにより遅延させる一方、適応フィルタ１８２ａ、１８２ｂ、１８３ａ、１８３ｂやフィルタタップ係数演算制御部１８６に入力される受信信号を遅延させないような構成によっても上記と同様な効果を得ることができる。ここで、図２４に示した構成は、遅延素子１８１ａ、１８１ｂが減算器１８５ａ、１８５ｂ側に備えられているといった点を除いては、上記図２３に示した構成とほぼ同様であり、以上に示した構成部分と共に加算器１８４ａ、１８４ｂも備えられている。
【００８７】
また、例えば上記図２０を用いて説明した場合と同様に、上記した複素演算用のＬＭＳアルゴリズム以外のアルゴリズムを用いて上記と同様な干渉除去の効果を得ることもでき、一例として、上記図２３に示した構成において複素演算用のＲＬＳアルゴリズムを用いた場合について示しておく。なお、以下では、説明の便宜上から、上記したｕＩ（ｔ）及びｕＱ（ｔ）やｈＩ（ｔ）及びｈＱ（ｔ）やｅＩ（ｔ）及びｅＱ（ｔ）やｒＩ（ｔ）及びｒＱ（ｔ）に相当するものについては同じ符号を用いて示す。
【００８８】
複素演算用のＲＬＳアルゴリズムでは、例えば上記式７〜上記式１０で示したｕ（ｔ）やｈ（ｔ）やｅ（ｔ）やｋ（ｔ）やＰ（ｔ）等の全てのパラメータが複素数の要素から構成される。ここで、γ及びωを実数として、虚数部を表す記号としてｊを用いると、任意の複素数要素は（γ＋ｊω）と表される。
そして、複素演算用のＲＬＳアルゴリズムでは、例えば上記した各パラメータの実数部と虚数部とを分離してそれぞれＩ成分のパラメータ及びＱ成分のパラメータとして用いることで、上記図２０を用いた説明において示したような逐次更新処理を複素演算において実現する。
【００８９】
なお、具体的に本例の場合には、例えばｕ（ｔ）の実数部をｕＩ（ｔ）とするとともに虚数部をｕＱ（ｔ）とし、ｈ（ｔ）の実数部をｈＩ（ｔ）とするとともに虚数部をｈＱ（ｔ）とし、ｅ（ｔ）の実数部をｅＩ（ｔ）とするとともに虚数部をｅＱ（ｔ）とする等して、受信信号のＩ成分ｒＩ（ｔ）及びＱ成分ｒＱ（ｔ）から干渉信号成分を除去する処理が行われる。
【００９０】
以上に示したように、例えば複素演算用のＲＬＳアルゴリズムを用いた場合においても、上記した複素演算用のＬＭＳアルゴリズムを用いた場合と同様に、ＣＤＭＡ方式により拡散変調された拡散信号と干渉信号とを含む受信信号のＩ成分及びＱ成分から当該干渉信号を除去することができる。
【００９１】
また、移動体通信で用いられる受信装置では、一般に、ダイバーシチ受信機が用いられており、このようなダイバーシチ受信機を干渉信号の存在が想定される環境下で利用する場合には、例えば図２５に示されるように、ダイバーシチ受信機１９３の各ブランチに干渉信号除去装置１９１、１９２を挿入して使用することが行われる。
【００９２】
具体的には、同図に示したダイバーシチ受信装置は、２つのブランチを有したダイバーシチ受信機１９３と、これら２つのブランチの信号のそれぞれに対して干渉信号の除去を行う２つの干渉信号除去装置１９１、１９２とから構成されている。なお、各ブランチの信号としては、例えば各ブランチ毎に対応して備えられた異なるアンテナにより受信された信号が入力される。
【００９３】
第１の干渉信号除去装置１９１は、ダイバーシチ受信機１９３が有する第１のブランチの入力端に備えられており、第１のブランチに入力される受信信号１に含まれる干渉信号を除去して、当該干渉除去後の受信信号１を当該入力端へ出力する。
同様に、第２の干渉信号除去装置１９２は、ダイバーシチ受信機１９３が有する第２のブランチの入力端に備えられており、第２のブランチに入力される受信信号２に含まれる干渉信号を除去して、当該干渉除去後の受信信号２を当該入力端へ出力する。
【００９４】
ダイバーシチ受信機１９３は、第１のブランチの入力端から入力される受信信号１と第２のブランチの入力端から入力される受信信号２とで信号レベルの大きさ等を比較した結果に基づいて、例えば２つの受信信号（受信信号１及び受信信号２）の内でいずれか一方の受信信号を選択して受信処理することや、或いは、２つの受信信号を適当な比率で合成して当該合成結果を採用して受信処理することを行う。このようなダイバーシチ受信を行うと、２つの受信信号の内のいずれかにフェージング等の干渉が生じてしまう場合においても、高い受信品質を保証することができる。
【００９５】
【発明が解決しようとする課題】
ここで、上記従来例で示したような干渉信号除去装置により干渉除去を行った場合の様子を具体的に示す。
図２６には、干渉信号が除去される前における受信信号のスペクトルの一例を示してあり、この受信信号としてはＣＤＭＡ信号に２波のＦＭ信号が干渉したものを示してある。なお、同図中や後述する図２７中や後述する図２８中のグラフの横軸は周波数（ＭＨｚ）を示しており、縦軸は信号のスペクトル強度を示している。
【００９６】
また、図２７には、上記図２６に示した受信信号を例えば上記図２０に示したような干渉信号除去装置に入力して、当該干渉信号除去装置により当該受信信号に含まれる干渉信号（ここでは、２波のＦＭ信号）を除去した直後（干渉信号除去処理の操作の開始直後）における（当該干渉信号除去装置からの）出力信号のスペクトルの一例を示してある。図２７に示されるように、干渉信号除去処理の開始直後において干渉信号除去装置から出力される信号では、干渉信号の周波数の近傍に位置するＣＤＭＡ信号の周波数成分も同時に除去されていることがわかる。ここで、このような不具合が生じる理由としては、受信信号から適応フィルタが干渉信号を抽出する際に同時にＣＤＭＡ信号も抽出し、干渉信号の除去と同時にＣＤＭＡ信号成分も除去することによる。これは、受信信号から干渉信号成分を抽出し除去を行う適応フィルタ方式においては干渉信号電力の大小に関わらず必ず起こる現象であり、この結果として干渉除去後の受信信号のビット誤り率が劣化してしまうという問題が起こっていた。
【００９７】
さらに、上記従来例で示したような干渉信号除去装置では、干渉信号除去処理を開始した後にそのまま当該処理を続けていくと、次第に受信信号中のＣＤＭＡ信号成分までも減衰させてしまい、このような減衰が時間の経過と共に進行していってしまうといった不具合があった。
【００９８】
具体的に、図２８には、上記図２７に示した状態から干渉信号除去処理をしばらくの時間継続した場合における（干渉信号除去装置からの）出力信号のスペクトルの一例を示してある。図２８に示されるように、干渉信号除去処理を開始してからしばらくの時間が経過すると、前記出力信号中に残されるべきＣＤＭＡ信号成分が大きく減衰させられ、スペクトルが乱れ帯域が広がっている。
このように、従来の干渉信号除去装置では、狭帯域干渉信号を適応的に除去する能力を有してはいるものの、希望波であるＣＤＭＡ信号も時間の経過と共に徐々に除去していってしまうといった不具合があった。
【００９９】
ここで、このような不具合が生じる理由としては、干渉信号を推定する際に同時にＣＤＭＡ信号も抽出されていることが考えられる。つまり、１チップ分以上の時間差を与えることにより本来無相関になり推定されるはずのないＣＤＭＡ信号成分が、帯域制限フィルタの影響による符号間干渉などの要因により一部で相関を持ち、干渉信号として推定されてしまうためである。このためスペクトルが乱れ、帯域が広がることで、結果として干渉除去後の受信信号のビット誤り率が劣化してしまうという問題が起こっていた。この現象は、干渉信号の有無に関わらず干渉信号除去装置を長時間稼動させると必ず発生し、またＣＤＭＡ信号成分の電力が強いほど発生しやすい特徴を持つことから、干渉信号が存在しない環境下でＡＧＣ（Automatic Gain Control）制御によりＣＤＭＡ電力が相対的に増すことで顕著に発生する。
【０１００】
また、図２９には、上記従来例で示したような干渉信号除去装置を用いて干渉除去を行った場合における干渉信号除去の特性の一例を示してある。なお、同図では、干渉信号除去特性として受信信号のビット誤り率（ＢＥＲ：Bit Error Ratio）が変化する様子を示してあり、干渉信号除去装置により干渉除去を行わない場合（キャンセルなしの場合）における特性例を（ａ）で示す一方、干渉信号除去装置により干渉除去を行った場合（キャンセル有りの場合）における特性例を（ｂ）で示してある。
【０１０１】
また、同図では、広帯域の希望信号としてＣＤＭＡ信号を用いる一方、狭帯域の干渉信号としてＦＳＫ（Frequency Shift Keying）信号を用いた場合を示してあり、干渉信号が１波である場合の例を示してある。また、同図中のグラフの横軸は干渉信号当たりのＤ／Ｕ（（希望の入力信号の電力）／（狭帯域干渉信号の電力））［ｄＢ］を示しており、縦軸は受信機におけるビット誤り率を示している。
【０１０２】
同図に示されるように、Ｄ／Ｕが比較的小さい場合（つまり、狭帯域干渉信号の電力が広帯域希望信号の電力と比べて十分に大きい場合）には、干渉信号除去装置により干渉除去を行うことで、ビット誤り率の特性を向上させることができる。一方、Ｄ／Ｕが比較的大きい場合（つまり、狭帯域干渉信号の電力が広帯域希望信号の電力と比べて同程度である場合、或いは、広帯域希望信号の電力と比べて小さい場合）には、干渉信号除去装置により干渉除去を行うことによって、却ってビット誤り率の特性を劣化させてしまうことが生じる。
【０１０３】
ここで、このような劣化が生じる理由としては、上記と同様な理由が考えられ、すなわち、受信信号から狭帯域干渉信号の周波数成分を抽出して、当該抽出結果を受信信号から除去する処理において、干渉信号除去装置が干渉信号と同時に広帯域希望信号の周波数成分までも抽出して除去してしまうためであると考えられる。そして、狭帯域干渉信号の除去を行わない場合には、ＣＤＭＡ信号の特質でもある干渉信号抑圧効果により、狭帯域干渉信号の除去を行った場合と比べて、特性がよくなるためであると考えられる。
【０１０４】
また、図３０（ａ）及び同図（ｂ）には、上記従来例で示したような干渉信号除去装置を用いて、広帯域信号と狭帯域干渉信号とを含む受信信号から当該干渉信号を除去する場合の様子の一例を示してある。
具体的に、同図（ａ）には、広帯域信号の電力と比べて或る狭帯域干渉信号の電力が十分に大きい場合（例えば図中の▲１▼や▲３▼の干渉信号）の例を示してあり、この場合には、上述のように、干渉除去を行うことで受信品質を改善することができる。
【０１０５】
なお、同図（ａ）には、広帯域信号に干渉する３つの信号▲１▼、▲２▼、▲３▼を示してあり、また、干渉除去前の受信信号の様子を左側のグラフに示す一方、干渉除去後の受信信号の様子を右側のグラフに示してある。また、これらのグラフの横軸は周波数を示しており、縦軸はスペクトル強度を示している。
【０１０６】
一方、同図（ｂ）には、広帯域信号の電力と比べて各狭帯域干渉信号の電力が（ほぼ）等しい場合（或いは、小さい場合についても同様）の例を示してあり、この場合には、上述のように、狭帯域干渉信号と共に広帯域信号の周波数成分までもが抽出されて除去されてしまうことから、干渉信号除去装置から出力される信号が（当該干渉信号除去装置の）後段の回路で復調処理される際において、受信品質の劣化が無視できないくらいに大きくなってしまう。
【０１０７】
このため、同図（ｂ）に示したような場合には、例えば干渉信号除去装置により干渉除去を行わない方が、ＣＤＭＡ信号の特質でもある干渉信号の抑圧効果によって、受信品質がよくなるとも言える。
なお、同図（ｂ）には、広帯域信号に干渉する３つの信号▲４▼、▲５▼、▲６▼を示してあり、また、干渉除去前の受信信号の様子を左側のグラフに示す一方、干渉除去後の受信信号の様子を右側のグラフに示してある。また、これらのグラフの横軸は周波数を示しており、縦軸はスペクトル強度を示している。
【０１０８】
また、例えば上記図１７や上記図２０などに示したような干渉信号除去装置では、上記式５に示したような適応アルゴリズムを用いてフィルタタップ係数系列ｈ（ｔ）を更新することから、上記式５に示した次回のフィルタタップ係数系列ｈ（ｔ＋１）の演算の度毎に常に前回までの演算結果（ｈ（ｔ））が蓄積される。このため、このような干渉信号除去装置では、例えば帯域制限フィルタによる符号間干渉の影響等により、広帯域信号の信号成分までも抽出されて当該広帯域信号の一部も除去されてしまう可能性があり、このような場合においても、上述したのと同様に、受信機での復調処理において受信品質の劣化が無視できないくらいに大きくなってしまうことが生じ得る。
【０１０９】
以上のように、上記従来例で示したような例えば一般的な適応アルゴリズムを用いた干渉信号除去装置では、例えば上記図２９に示されるような干渉信号除去特性を示し、つまり、広帯域信号の電力と比べて狭帯域信号の電力が小さくなる場合には干渉除去を行わない場合より受信品質の特性が劣化してしまうことがあるといった不具合があった。
【０１１０】
具体的に、現状考えられている通信方式では、例えばＣＤＭＡ方式とＴＤＭＡ方式とを共用するような状況やＣＤＭＡ方式とＦＤＭＡ方式とを共用するような状況などにおいて、上記従来例で示したような干渉信号除去装置を組み込んだ受信機を用いた場合に、受信信号に干渉信号が存在しないようなときには、却って受信品質が低下してしまうことが生じ、また、例えば干渉信号の除去を行わない場合と比べて、基地局装置により収容可能な移動局装置の数（ユーザ数）が減少してしまうことや通話エリアが小さくなってしまうことが生じるといった問題が予想される。
【０１１１】
また、受信機として上記従来例で示したような干渉信号除去装置を組み込んだダイバーシチ受信機が用いられる場合においても、同様な問題が生じてしまうことが予想される。
【０１１２】
本発明は、このような従来の課題を解決するために為されたもので、広帯域の希望信号と狭帯域の干渉信号とを含んだ入力信号から当該干渉信号を除去するに際して、比較的大きいレベルを有する干渉信号のみを入力信号から除去することにより、例えば希望信号までも除去してしまうことを抑制して、干渉除去後の入力信号の品質を向上させることができる干渉信号除去装置などを提供することを目的とする。
【０１１３】
【課題を解決するための手段】
上記目的を達成するため、本発明に係る干渉信号除去装置では、広帯域の希望信号と狭帯域の干渉信号とを含んだ入力信号から当該干渉信号を除去するに際して、所定の閾値を超えるレベルを有する干渉信号のみを入力信号から除去する。
【０１１４】
従って、所定の閾値を越えるレベルを有する干渉信号のみが入力信号から除去され、当該閾値以下のレベルを有する干渉信号に対しては干渉除去処理が行われないため、比較的大きいレベルを有する干渉信号のみを入力信号から除去することにより、例えば希望信号までも除去してしまうことを抑制して、干渉除去後の入力信号の品質を向上させることができる。
【０１１５】
一例として、広帯域の希望信号としてＣＤＭＡ信号が用いられた場合には、受信機により受信した信号（ＣＤＭＡ信号と狭帯域干渉信号とを含んだ信号）から干渉信号を除去するに際して、所定の閾値を越えるレベルを有する干渉信号のみを当該受信信号から除去することにより、ＣＤＭＡ信号成分までも除去してしまうことを抑制することができ、これにより、例えば従来と比べて、干渉除去後における受信信号のビット誤り率の特性を向上させることができる。
【０１１６】
つまり、本来、ＣＤＭＡ方式のようなスペクトル拡散方式による（拡散された）信号は拡散利得による耐干渉能力が高いため、狭帯域干渉信号を必要以上に除去しなくとも、拡散された希望波（ＣＤＭＡ信号等）の信号電力と同程度のレベルまで狭帯域干渉信号の電力を減衰させることができればよい。このため、ＣＤＭＡ信号等の成分が除去されない程度に高いレベルを有する干渉信号のみを除去することにより、例えば干渉信号成分が受信信号中に多少残留しても、ＣＤＭＡ信号等の成分の除去が抑制されることから、総じて、干渉除去後のビット誤り率を改善することができる。
【０１１７】
ここで、広帯域の希望信号としては、種々な信号が用いられてもよく、例えばＣＤＭＡ方式により拡散された信号等を用いることができる。
また、狭帯域の干渉信号としては、種々な信号が用いられてもよく、例えばＦＭ信号やＦＳＫ信号等を用いることができる。
また、入力信号としては、種々な信号が用いられてもよく、例えば受信信号を用いることができる。
【０１１８】
また、所定の閾値としては、種々な値が用いられてもよく、例えば当該閾値を越えるレベルを有する干渉信号を入力信号から除去する場合には希望信号を除去してしまうことを実用上で有効な程度で抑制することができるような値が用いられるのがよい。
また、レベルとしては、種々なレベルが用いられてもよく、例えば電力や振幅などのレベルを用いることができる。
【０１１９】
また、本発明に係る干渉信号除去装置では、次のようにして、広帯域の希望信号と狭帯域の干渉信号とを含んだ入力信号から当該干渉信号を除去する。
すなわち、入力信号制御手段が入力信号のデジタル値の有効語長を制限し、干渉信号推定手段が有効語長が制限された入力信号に基づいて入力信号に含まれる干渉信号を推定し、干渉信号抽出手段が干渉信号推定手段の推定結果に基づいて入力信号に含まれる干渉信号を抽出し、干渉信号除去手段が抽出される干渉信号を入力信号から除去する。
【０１２０】
従って、入力信号に含まれる干渉信号を推定するのに用いられる入力信号の有効語長を制限することにより、比較的大きいレベルを有する干渉信号のみを推定して入力信号から除去することができ、これにより、例えば希望信号までも除去してしまうことを抑制して、干渉除去後の入力信号の品質を向上させることができる。
【０１２１】
ここで、入力信号のデジタル値の有効語長を制限することは、当該制限の程度に応じて当該デジタル値を小さくすることに相当し、つまり、当該入力信号のレベルを小さくすることに相当する。
また、有効語長を制限する程度としては、種々な程度が用いられてもよく、例えば希望信号を除去してしまうことを実用上で有効な程度で抑制することができるような程度が用いられるのがよい。
【０１２２】
また、干渉信号抽出手段では、例えば入力信号そのままから干渉信号を抽出してもよく、例えば有効語長が制限された入力信号から干渉信号を抽出してもよい。
一例として、本発明に係る干渉信号除去装置では、干渉信号抽出手段は有効語長が制限された入力信号から干渉信号を抽出する。
【０１２３】
また、本発明に係る干渉信号除去装置では、次のようにして、広帯域の希望信号と狭帯域の干渉信号とを含んだ入力信号から当該干渉信号を除去する。
すなわち、入力信号制御手段が入力信号に雑音を加え、干渉信号推定手段が雑音が加えられた入力信号に基づいて入力信号に含まれる干渉信号を推定し、干渉信号抽出手段が干渉信号推定手段の推定結果に基づいて入力信号に含まれる干渉信号を抽出し、干渉信号除去手段が抽出される干渉信号を入力信号から除去する。
【０１２４】
従って、入力信号に含まれる干渉信号を推定するのに用いられる入力信号に雑音を加えることにより、比較的大きいレベルを有する干渉信号のみを推定して入力信号から除去することができ、これにより、例えば希望信号までも除去してしまうことを抑制して、干渉除去後の入力信号の品質を向上させることができる。
【０１２５】
ここで、入力信号に雑音を加えると、当該雑音の程度に応じて当該入力信号に含まれる比較的レベルの低い干渉信号を雑音に埋もれさせて推定されないようにすることができる。
また、入力信号に加える雑音のレベルとしては、種々なレベルが用いられてもよく、例えば希望信号を除去してしまうことを実用上で有効な程度で抑制することができるようなレベルが用いられるのがよい。
【０１２６】
また、干渉信号抽出手段では、例えば入力信号そのままから干渉信号を抽出してもよく、例えば雑音が加えられた入力信号から干渉信号を抽出してもよい。
一例として、本発明に係る干渉信号除去装置では、干渉信号抽出手段は雑音が加えられた入力信号から干渉信号を抽出する。
【０１２７】
また、本発明に係る干渉信号除去装置では、次のようにして、広帯域の希望信号と狭帯域の干渉信号とを含んだ入力信号から当該干渉信号を除去する。
すなわち、入力信号制御手段が入力信号に１未満の制御係数を乗算し、干渉信号推定手段が制御係数が乗算された入力信号に基づいて入力信号に含まれる干渉信号を推定し、干渉信号抽出手段が干渉信号推定手段の推定結果に基づいて入力信号に含まれる干渉信号を抽出し、干渉信号除去手段が抽出される干渉信号を入力信号から除去する。
【０１２８】
従って、入力信号に含まれる干渉信号を推定するのに用いられる入力信号に１未満の制御係数を乗算することにより、比較的大きいレベルを有する干渉信号のみを推定して入力信号から除去することができ、これにより、例えば希望信号までも除去してしまうことを抑制して、干渉除去後の入力信号の品質を向上させることができる。
【０１２９】
ここで、入力信号に１未満の制御係数を乗算すると、当該制御係数の値に応じて当該入力信号のレベルを小さくすることができる。
また、制御係数の値としては、種々な値が用いられてもよく、例えば希望信号を除去してしまうことを実用上で有効な程度で抑制することができるような値が用いられるのがよい。
【０１３０】
また、干渉信号抽出手段では、例えば入力信号そのままから干渉信号を抽出してもよく、例えば制御係数が乗算された入力信号から干渉信号を抽出してもよい。
一例として、本発明に係る干渉信号除去装置では、干渉信号抽出手段は制御係数が乗算された入力信号から干渉信号を抽出する。
【０１３１】
また、本発明に係る干渉信号除去装置では、以上に示したような種々な構成において、入力信号制御手段は、入力信号に含まれる干渉信号のレベルを推定する干渉信号レベル推定手段を有し、推定した干渉信号のレベルに基づいて入力信号を制御する。
【０１３２】
ここで、入力信号を制御する仕方としては、上述のように、例えば入力信号のデジタル値の有効語長を制限する仕方や、入力信号に雑音を加える仕方や、入力信号に１未満の制御係数を乗算する仕方がある。
また、干渉信号のレベルとしては、種々なレベルが用いられてもよく、例えば電力や振幅などのレベルを用いることができる。
【０１３３】
また、以上に示したような種々な構成を有する本発明に係る干渉信号除去装置は、例えば移動通信システムに設けられる基地局装置や移動局装置などに適用するのに好適なものであり、また、例えばダイバーシチ受信を行うダイバーシチ受信装置に適用することができる。
【０１３４】
一例として、本発明に係る移動通信システムの基地局装置では、以上に示したような干渉信号除去装置を備え、移動局装置から無線受信した信号を当該干渉信号除去装置に入力して当該信号に含まれる干渉信号を当該干渉信号除去装置により除去する。なお、同様に、本発明に係る干渉信号除去装置を移動局装置や中継（増幅）局装置などに適用することもできる。
ここで、移動通信システムとしては、例えば携帯電話システムや簡易型携帯電話システム（ＰＨＳ）等の種々なシステムが用いられてもよい。
【０１３５】
また、本発明に係るダイバーシチ受信装置では、以上に示したような干渉信号除去装置を１以上のブランチに備え、当該ブランチの信号を当該干渉信号除去装置に入力して当該信号に含まれる干渉信号を当該干渉信号除去装置により除去することを可能とした。
【０１３６】
なお、このようなダイバーシチ受信装置では、一例として、ブランチの数と同数のアンテナを備えており、各アンテナにより受信した信号が各ブランチの信号として用いられる。
ここで、ダイバーシチ受信装置に備えられる複数のブランチの数としては、種々な数が用いられてもよい。
【０１３７】
また、干渉信号除去装置が備えられるブランチの数としては種々な数が用いられてもよく、例えば各ブランチ毎に１つの干渉信号除去装置が備えられる。具体例として、ダイバーシチ受信装置に備えられる全てのブランチのそれぞれに対して１つずつの干渉信号除去装置が備えられてもよく、或いは、ダイバーシチ受信装置に備えられる一部のブランチのそれぞれに対して１つずつの干渉信号除去装置が備えられてもよい。
また、各ブランチに備えられる干渉信号除去装置はそれぞれ、例えば常に干渉信号除去の動作がさせられてもよく、或いは、例えば干渉信号除去の動作がオン／オフ制御されてオンとオフとが切り替えられてもよい。
【０１３８】
ここで、図１５（ａ）〜同図（ｄ）には、上記のような本発明に係る干渉信号除去装置を用いて、広帯域信号と狭帯域干渉信号とを含む受信信号から当該干渉信号を除去する場合の様子の一例として、干渉信号抽出手段が有効語長が制限された入力信号から干渉信号を抽出する場合の一例を示してある。
なお、同図（ａ）〜同図（ｄ）中のグラフの横軸は周波数を示しており、縦軸はスペクトル強度を示している。
【０１３９】
具体的に、同図（ａ）には、広帯域信号と狭帯域干渉信号とが混在する受信信号のスペクトルの一例を示してあり、狭帯域干渉信号として、広帯域信号の電力と比べて電力が十分に大きい２つの狭帯域干渉信号▲１▼、▲３▼と、広帯域信号の電力と同程度の電力を有する１つの狭帯域干渉信号▲２▼とを示してある。
【０１４０】
同図（ｂ）には、受信信号に有効語長制限をかけた場合におけるスペクトルのイメージの一例を示してあり、語長制限による量子化雑音成分を斜線で示してある。同図（ｂ）に示されるように、比較的低いレベルの干渉信号▲２▼は語長制限により雑音に埋もれることから干渉信号推定手段により干渉信号として推定されず、比較的高いレベルの干渉信号▲１▼、▲３▼のみが干渉信号推定手段により干渉信号として推定される。
【０１４１】
同図（ｃ）には、干渉信号推定手段の推定結果に基づいて有効語長が制限された入力信号から干渉信号抽出手段により抽出される干渉信号のスペクトルの一例を示してある。同図（ｃ）に示されるように、比較的高いレベルの干渉信号▲１▼、▲３▼のみが抽出される。なお、同図（ｃ）に示されるように、有効語長制限により干渉信号のスペクトルが広がり、例えば狭帯域干渉信号と比べて鋭くないフィルタ特性によって斜線で示した雑音成分も抽出される。
【０１４２】
同図（ｄ）には、抽出された干渉信号を除去した後における受信信号のスペクトルの一例を示してある。同図（ｄ）に示されるように、比較的低いレベルの干渉信号▲２▼については干渉除去処理が行われずに、比較的高いレベルの干渉信号▲１▼、▲３▼のみについて干渉除去処理が行われて干渉信号が除去される。なお、同図（ｄ）に示されるように、広がったスペクトル分がフィルタで除去されない部分として干渉信号抽出時に一方向に残り、斜線で示す量子化雑音成分となる。
【０１４３】
このように、同図（ａ）に示されるような受信信号をそのまま利用するのではなく、有効語長制限の制御を行った受信信号を用いることで、同図（ｂ）に示されるように本来必要な広帯域信号や干渉信号として除去する必要のないレベルの低い干渉信号▲２▼については雑音レベル以下に埋もれさせることにより干渉信号成分の推定が行われないようにすることができ、これにより、同図（ｃ）に示されるように干渉信号抽出時にも広帯域信号成分が抽出されないため、同図（ｄ）に示されるように干渉信号除去時に広帯域信号が共に除去されてしまうことはなく、残るのは雑音成分として干渉信号と共に抽出された成分だけとなる。
【０１４４】
なお、このような雑音成分は、例えばＣＤＭＡの干渉信号抑圧効果により十分に除去することが可能である。また、例えば干渉信号抽出の際に干渉信号の帯域以外にも雑音成分が残ることも懸念されるが、干渉信号を抽出する手段として通常用いられる有限長インパルスレスポンス（ＦＩＲ：Finite Impulse Response）フィルタが十分な段数を有する場合には十分に雑音成分を抑圧することができるため問題はない。
【０１４５】
なお、ここでは、受信信号の有効語長を制限した場合を例として説明したが、受信信号に雑音を加える場合や、受信信号に１未満の制御係数を乗算する場合についても、同様な効果を得ることができる。
以上のように、干渉信号の電力等のレベルに応じた干渉除去を行う本例のような干渉除去方法を用いることにより、選択的に電力の大きい干渉信号のみを抽出して抑圧することが可能であり、また、狭帯域干渉信号の抽出時に広帯域信号成分を同時に抽出してしまうことを防止することができる。そして、こうしたことや、例えばＣＤＭＡの干渉信号抑圧効果により電力の低い干渉信号を抑圧することが可能であることから、総じて、干渉信号除去装置による特性劣化を最小限に抑えることができる。
【０１４６】
次に、図１６（ａ）〜同図（ｄ）には、上記したような本発明に係る干渉信号除去装置を用いて、広帯域信号と狭帯域干渉信号とを含む受信信号から当該干渉信号を除去する場合の様子の一例として、干渉信号抽出手段が入力信号そのままから干渉信号を抽出する場合の一例を示してある。
なお、同図（ａ）〜同図（ｄ）中のグラフの横軸は周波数を示しており、縦軸はスペクトル強度を示している。
【０１４７】
具体的に、同図（ａ）には、広帯域信号と狭帯域干渉信号とが混在する受信信号のスペクトルの一例を示してあり、狭帯域干渉信号として、広帯域信号の電力と比べて電力が十分に大きい２つの狭帯域干渉信号▲１▼、▲３▼と、広帯域信号の電力と同程度の電力を有する１つの狭帯域干渉信号▲２▼とを示してある。
【０１４８】
同図（ｂ）には、受信信号に有効語長制限をかけた場合におけるスペクトルのイメージの一例を示してあり、語長制限による量子化雑音成分を斜線で示してある。ここで、同図（ｂ）では、上記図１５（ｂ）で示した場合と比べて量子化雑音レベルを高く設定した場合の一例を示してある。図１６（ｂ）に示されるように、比較的低いレベルの干渉信号▲２▼は語長制限により雑音に埋もれることから干渉信号推定手段により干渉信号として推定されず、比較的高いレベルの干渉信号▲１▼、▲３▼のみが干渉信号推定手段により干渉信号として推定される。
【０１４９】
同図（ｃ）には、干渉信号推定手段の推定結果に基づいて入力信号そのままから干渉信号抽出手段により抽出される干渉信号のスペクトルの一例を示してある。同図（ｃ）に示されるように、比較的高いレベルの干渉信号▲１▼、▲３▼のみが抽出される。なお、同図（ｃ）に示されるように、フィルタ特性によって広帯域信号成分も多少抽出されるが、狭帯域干渉信号のスペクトルは広がっていないため雑音成分は抽出されず、このため、同図（ｂ）に示したように量子化雑音レベルを高く設定しても干渉除去後の受信信号に影響を与えない。
【０１５０】
同図（ｄ）には、抽出された干渉信号を除去した後における受信信号のスペクトルの一例を示してある。同図（ｄ）に示されるように、比較的低いレベルの干渉信号▲２▼については干渉除去処理が行われずに、比較的高いレベルの干渉信号▲１▼、▲３▼のみについて干渉除去処理が行われて干渉信号が除去される。なお、同図（ｄ）に示されるように、比較的レベルの高い干渉信号▲１▼、▲３▼の周波数位置やその近隣の周波数位置については、広帯域信号成分が抽出されているため、広帯域信号が多少除去される。
【０１５１】
このように、同図（ａ）に示されるような受信信号をそのまま利用するのではなく、有効語長制限の制御を行った受信信号を用いることで、同図（ｂ）に示されるように本来必要な広帯域信号や干渉信号として除去する必要のないレベルの低い干渉信号▲２▼については雑音レベル以下に埋もれさせることにより干渉信号成分の推定が行われないようにすることができる。一方、この例では、干渉信号の抽出時に受信信号をそのまま使用することから、同図（ｃ）に示されるように干渉信号抽出時に広帯域信号成分が同時に抽出され、同図（ｄ）に示されるように干渉信号除去時に広帯域信号成分が共に除去される。また、干渉信号▲２▼のようなレベルの低い干渉信号はそのまま残る。
【０１５２】
ここで、上記図１５に示した場合と比べて、図１６に示した場合には広帯域信号成分が除去されている分だけ特性が劣化してしまうことも予想されるが、例えば同図（ｂ）に示されるように雑音レベルを高く設定したときに有効語長が制限された受信信号から干渉信号を抽出すると干渉信号抽出時に残る雑音成分により生じる特性劣化が大きくなってしまうような場合には、かえって、この例のように受信信号そのままから干渉信号を抽出する方が有効である。
【０１５３】
つまり、この例では干渉信号を推定した後に有効語長制限されていない受信信号から干渉信号を抽出することが行われるため、この場合でも干渉除去による広帯域信号成分への影響は若干起こり得るものの、上記図１５に示されるように干渉信号除去時に量子化雑音成分が干渉除去後の受信信号に含まれてしまうことが生じないため、特性の劣化を防止しつつ、有効語長制限による雑音レベルを高く設定することが可能となる。
【０１５４】
なお、ここでは、受信信号の有効語長を制限した場合を例として説明したが、受信信号に雑音を加える場合や、受信信号に１未満の制御係数を乗算する場合についても、同様な効果を得ることができる。
以上のように、干渉信号の電力等のレベルに応じた干渉除去を行う本例のような干渉除去方法を用いることにより、選択的に電力の大きい干渉信号のみを抽出して抑圧することが可能である。そして、こうしたことや、例えばＣＤＭＡの干渉信号抑圧効果により電力の低い干渉信号を抑圧することが可能であることから、干渉信号除去装置による特性劣化を最小限に抑えることができる。
【０１５５】
【発明の実施の形態】
本発明の実施例に係る干渉信号除去装置を図面を参照して説明する。
なお、本実施例では、干渉信号除去装置は例えばＣＤＭＡ方式により無線通信を行う受信機に設けられており、当該受信機により受信される信号（広帯域の希望信号と狭帯域の干渉信号とを含んだ信号）に含まれる干渉信号を除去する。
【０１５６】
一例として、本発明に係る干渉信号除去装置を移動通信システムの基地局装置に適用した場合には、当該基地局装置では、本発明に係る干渉信号除去装置を備え、移動局装置から無線受信した信号を当該干渉信号除去装置に入力して当該信号に含まれる干渉信号を当該干渉信号除去装置により除去する。
また、他の例として、本発明に係る干渉信号除去装置を移動通信システムの移動局装置に適用した場合には、当該移動局装置では、本発明に係る干渉信号除去装置を備え、基地局装置から無線受信した信号を当該干渉信号除去装置に入力して当該信号に含まれる干渉信号を当該干渉信号除去装置により除去する。
【０１５７】
まず、本発明の第１実施例に係る干渉信号除去装置を図面を参照して説明する。
図１には、本発明に係る干渉信号除去装置の一例を示してあり、この干渉信号除去装置には、干渉信号電力推定部１と、語長制限部２と、干渉信号推定部３と、干渉信号抽出部４と、合成器５とが備えられている。この干渉信号除去装置では、広帯域の希望信号と複数の狭帯域の干渉信号とが合成された受信信号ｒ（ｔ）が入力信号として干渉信号電力推定部１及び語長制限部２及び合成器５に入力される。なお、ｔは時刻を示す。
【０１５８】
干渉信号電力推定部１は、入力される受信信号ｒ（ｔ）から干渉信号の電力を推定し、当該推定結果を語長制限部２に通知する。
ここで、受信信号ｒ（ｔ）から干渉信号の電力を推定する仕方としては、例えば受信信号ｒ（ｔ）をスペクトル分析して推定する仕方を用いることができ、また、例えばＣＤＭＡのように受信電力が予め一定となるように制御されている通信システムにおいては受信信号そのものの電力或いはそれに比例する電力を干渉信号の電力とみなして用いることも可能である。
【０１５９】
語長制限部２は、干渉信号電力推定部１から通知される推定結果に基づいて、入力される受信信号ｒ（ｔ）の有効語長を制限して、当該有効語長制限後の受信信号ｗ（ｔ）を干渉信号推定部３及び干渉信号抽出部４へ出力する。
【０１６０】
ここで、語長制限部２では、受信信号ｒ（ｔ）をデジタル値のデータとしてその有効語長を制限する。具体的に、データを語長制限する仕方としては、一例として、受信信号ｒ（ｔ）が１６ビットのデジタル値のデータであって、その内で広帯域信号の有効語長が６ビット相当である場合には、例えば下位の７ビットに語長制限をかけて上位の９ビットを語長制限後の受信信号ｗ（ｔ）とする。また、他の例として、受信信号ｒ（ｔ）が１６ビットのデジタル値のデータであって、その内で広帯域信号の有効語長が４ビット相当である場合には、例えば下位の５ビットに語長制限をかけて上位の１１ビットを語長制限後の受信信号ｗ（ｔ）とする。
【０１６１】
このようにして受信信号ｒ（ｔ）の有効語長を制限すると、広帯域信号と比較的低いレベルの干渉信号を量子化雑音レベル以下にすることができ、これにより、干渉信号推定部３においては受信レベルの低い干渉信号や広帯域信号の周波数成分が推定されてしまうことを防止することができ、また、干渉信号抽出部４においては干渉信号と同時に広帯域信号が抽出されてしまうことを防止することができる。
【０１６２】
また、演算によって有効語長を制限する仕方としては、例えば１６ビットのデータにＦＦＦ０（Ｈ：１６進数）等をＡＮＤ（論理積）演算するといった簡易な構成による仕方を用いることができる。具体例として、１６ビットのデータにＦＦＦ０をＡＮＤ演算すると、当該データの上位１２ビットの値（“１”値或いは“０”値）をそのまま残して、下位４ビットの値を全て“０”値にすることができ、結果として、当該データを１２ビットに語長制限することができる。
【０１６３】
干渉信号推定部３は、例えばＬＭＳ等の一般的な適応アルゴリズムを用いて、入力される有効語長制限後の受信信号ｗ（ｔ）及び合成器５から出力される干渉除去後の受信信号の一部ｅ（ｔ）から干渉信号を推定し、当該推定結果である干渉信号推定係数ｈ（ｔ）を干渉信号抽出部４へ出力する。
干渉信号抽出部４は、干渉信号推定部３から入力される干渉信号推定係数ｈ（ｔ）に基づいて、入力される有効語長制限後の受信信号ｗ（ｔ）から干渉信号Ｖ（ｔ）を抽出し、抽出した干渉信号Ｖ（ｔ）を合成器５へ出力する。
【０１６４】
合成器５は、入力される受信信号ｒ（ｔ）から干渉信号抽出部４から入力される干渉信号Ｖ（ｔ）を減算することで、当該受信信号ｒ（ｔ）から当該干渉信号Ｖ（ｔ）を除去し、当該干渉除去後の受信信号を当該干渉信号除去装置から出力する。ここで、適切な干渉信号Ｖ（ｔ）が抽出された場合には、干渉除去後の受信信号は主に広帯域信号のみを抽出したものとなる。また、合成器５から出力される干渉除去後の受信信号の一部はエラー信号ｅ（ｔ）として干渉信号推定部３に入力される。
【０１６５】
なお、好ましい態様として、干渉信号電力推定部１により干渉信号の電力を推定するタイミングや、干渉信号推定部３により干渉信号を推定するタイミングとして、所定の時間間隔をもったタイミングを用いると、装置化がし易く、消費電力の軽減も期待できる。特に、狭帯域干渉信号が、ＦＨＳＳ方式やＴＤＭＡ方式による信号のようなものではなく、つまり、急激に周波数や電力が変化するようなものではない場合には、干渉信号の変化に高速に追従して干渉除去を行う必要がないことから、例えば干渉信号の推定演算の更新処理（フィルタタップ係数系列（干渉信号推定係数）ｈ（ｔ）の更新処理）等を毎回行わずに、当該更新処理等を例えば２５６サンプル毎に１回行うというような構成としても、連続した狭帯域干渉信号を十分に除去することが可能である。
【０１６６】
ここで、このような所定の時間間隔を用いる構成では、例えば干渉信号の除去能力が多少劣化することもあるが、劣化量はせいぜい５ｄＢ分程度である。このため、このような構成では、例えば干渉信号の除去能力をほとんど劣化させずに、更新処理等に係る演算処理量を大幅に削減することができ、これにより、ハードウエアの規模や消費電力を低減させることができるという大きな効果を得ることが可能である。
【０１６７】
また、例えば干渉信号の性質に応じて、ＦＤＭＡ方式やＦＭ方式やＡＭ方式による信号のように狭帯域干渉信号が連続する信号（周波数や電力の変化が緩やかな信号）であるような場合には干渉信号の推定演算に係る更新処理等の周期を遅くする一方、ＦＨＳＳ方式やＴＤＭＡ方式による信号のように狭帯域干渉信号が急激に周波数や電力の変化する信号であるような場合には当該周期を速くすることにより、適応的な干渉除去を行うことも可能である。
【０１６８】
以上のように、本例の干渉信号除去装置では、例えば受信系の伝送路で複数の狭帯域干渉信号が含まれる広帯域信号の受信信号ｒ（ｔ）に対して、干渉信号電力推定部１が当該受信信号ｒ（ｔ）に含まれる干渉信号の電力を推定し、語長制限部２が当該推定結果に基づいて当該受信信号ｒ（ｔ）の有効語長を制限し、干渉信号推定部３が当該有効語長制限された受信信号ｗ（ｔ）から干渉信号を推定し、干渉信号抽出部４が当該推定結果に基づいて当該有効語長制限された受信信号ｗ（ｔ）から干渉信号Ｖ（ｔ）を抽出し、合成器５が当該抽出された干渉信号Ｖ（ｔ）を用いて受信信号ｒ（ｔ）から当該干渉信号Ｖ（ｔ）を除去し、これにより、広帯域の希望信号のみを抽出して出力する。
【０１６９】
従って、本例の干渉信号除去装置では、受信信号ｒ（ｔ）に含まれる干渉信号を除去するに際して、特定の電力を超える干渉信号に関してのみ干渉除去の制御を行い、それぞれの干渉信号に応じて干渉信号除去処理を変化させることにより、干渉除去処理を行わない方が特性がよい干渉信号に関しては干渉除去が行われないような制御が可能となることから、例えば従来において干渉信号と共に本来受信処理を行いたい希望信号までも抽出して除去してしまっていたことにより生じていた受信品質の劣化を防ぐことができ、これにより、干渉除去後の受信信号のビット誤り率を向上させることができる。
【０１７０】
具体的には、本例の干渉信号除去装置では、干渉信号の電力に応じた干渉除去の制御を行って、受信信号ｒ（ｔ）の語長を干渉信号の推定及び抽出に関わる部分で制限することにより、特定のレベルに達しない信号に関しては量子化雑音に埋もれさせ、これにより、このような信号が干渉信号として推定及び抽出されることを防ぐことができる。
【０１７１】
また、本例の干渉信号除去装置では、例えば広帯域信号に含まれる狭帯域干渉信号が複数重畳されて受信された場合においても、広帯域の周波数信号内の干渉信号を適切に除去することが可能であり、特に、干渉信号の隣接チャネルに位置する広帯域信号までをも除去してしまうことを防止することができる。
なお、本例の干渉信号除去装置では、干渉除去後に雑音成分が多少残るが、上記図１５を用いて説明したように、例えばＣＤＭＡの干渉信号抑圧効果によりこのような雑音成分を十分に除去することが可能である。
【０１７２】
このように、本例の干渉信号除去装置では、干渉信号の除去作用を制御することにより、従来と比較して、広帯域信号と比べて狭帯域干渉信号の電力が同程度か或いは小さい場合における受信特性を改善することができ、また、広帯域信号の信号成分が抽出されることもないため、全体として干渉除去後の受信信号のビット誤り率を改善することができる。
【０１７３】
なお、上述のように、本例の干渉信号除去装置では、好ましい態様として、干渉信号電力推定部１が干渉信号の電力の推定に関わる演算を所定の時間間隔で行うような構成とすることも可能である。ここで、所定の時間間隔としては、例えば装置の使用状況等に応じて、任意の時間間隔が用いられてもよい。
【０１７４】
また、本例の干渉信号除去装置では、好ましい態様として、ＣＤＭＡのように受信電力が一定となるように電力制御されているような場合において、干渉信号電力推定部１が受信信号ｒ（ｔ）の電力そのものを利用して干渉信号の電力を推定することにより、受信電力のみを用いて干渉信号の有無を判別することが可能な構成とすることもできる。また、このような干渉信号電力の推定は、例えばスペクトル分析を行って実現することもできる。
【０１７５】
また、本例の干渉信号除去装置では、好ましい態様として、干渉信号推定部３が干渉信号の推定に関わる演算を所定の時間間隔で行うような構成とすることも可能である。なお、所定の時間間隔としては、例えば装置の使用状況等に応じて、任意の時間間隔が用いられてもよい。
【０１７６】
ここで、本例では、干渉信号電力推定部１により本発明に言う干渉信号レベル推定手段が構成されており、語長制限部２により本発明に言う入力信号制御手段が構成されており、干渉信号推定部３により本発明に言う干渉信号推定手段が構成されており、干渉信号抽出部４により本発明に言う干渉信号抽出手段が構成されており、合成器５により本発明に言う干渉信号除去手段が構成されている。また、本例では、干渉信号抽出手段は有効語長が制限された入力信号から干渉信号を抽出している。
【０１７７】
次に、本発明の第２実施例に係る干渉信号除去装置を図面を参照して説明する。
図２には、本発明に係る干渉信号除去装置の一例を示してあり、この干渉信号除去装置には、干渉信号電力推定部１１と、雑音発生回路１２と、加算回路１３と、干渉信号推定部１４と、干渉信号抽出部１５と、合成器１６とが備えられている。この干渉信号除去装置では、広帯域の希望信号と複数の狭帯域の干渉信号とが合成された受信信号ｒ（ｔ）が入力信号として干渉信号電力推定部１１及び加算回路１３及び合成器１６に入力される。なお、ｔは時刻を示す。
【０１７８】
ここで、本例の干渉信号除去装置の構成は、受信信号ｒ（ｔ）の有効語長を制限するのではなく受信信号ｒ（ｔ）に雑音を加えるといった点を除いては、例えば上記第１実施例の図１に示した干渉信号除去装置の構成と同様であり、本例では、異なる構成部分について詳しく説明する。
【０１７９】
干渉信号電力推定部１１は、入力される受信信号ｒ（ｔ）から干渉信号の電力を推定し、当該推定結果を雑音発生回路１２に通知する。
雑音発生回路１２は、干渉信号電力推定部１１から通知される推定結果に基づいて、擬似的な雑音を発生させ、発生させた雑音を加算回路１３へ出力する。
【０１８０】
加算回路１３は、入力される受信信号ｒ（ｔ）と雑音発生回路１２から入力される雑音とを加算合成し、当該合成結果を雑音が加えられた受信信号ｗ（ｔ）として干渉信号推定部１４及び干渉信号抽出部１５へ出力する。
【０１８１】
ここで、受信信号ｒ（ｔ）に擬似雑音を加える仕方としては、他の例として、自動利得制御増幅器（ＡＧＣ−ＡＭＰ：AGC-Amplifier）を用いて受信信号ｒ（ｔ）のゲインレベルを下げることにより当該受信信号ｒ（ｔ）に含まれるレベルの低い干渉信号を雑音レベルに下げる仕方を用いることもできる。このような仕方によっても、受信信号ｒ（ｔ）のゲインレベルを下げることで、当該受信信号ｒ（ｔ）に雑音を加えることが実質的に実現され、本発明はこのような仕方を用いる構成も包含している。
【０１８２】
このようにして受信信号ｒ（ｔ）に雑音を加えると、広帯域信号と比較的低いレベルの干渉信号を量子化雑音レベル以下にすることができ、これにより、干渉信号推定部１４においては受信レベルの低い干渉信号や広帯域信号の周波数成分が推定されてしまうことを防止することができ、また、干渉信号抽出部１５においては干渉信号と同時に広帯域信号が抽出されてしまうことを防止することができる。
【０１８３】
干渉信号推定部１４は、例えばＬＭＳ等の一般的な適応アルゴリズムを用いて、入力される雑音が加えられた受信信号ｗ（ｔ）及び合成器１６から出力される干渉除去後の受信信号の一部ｅ（ｔ）から干渉信号を推定し、当該推定結果である干渉信号推定係数ｈ（ｔ）を干渉信号抽出部１５へ出力する。
干渉信号抽出部１５は、干渉信号推定部１４から入力される干渉信号推定係数ｈ（ｔ）に基づいて、入力される雑音が加えられた受信信号ｗ（ｔ）から干渉信号Ｖ（ｔ）を抽出し、抽出した干渉信号Ｖ（ｔ）を合成器１６へ出力する。
【０１８４】
合成器１６は、入力される受信信号ｒ（ｔ）から干渉信号抽出部１５から入力される干渉信号Ｖ（ｔ）を減算することで、当該受信信号ｒ（ｔ）から当該干渉信号Ｖ（ｔ）を除去し、当該干渉除去後の受信信号を当該干渉信号除去装置から出力する。ここで、適切な干渉信号Ｖ（ｔ）が抽出された場合には、干渉除去後の受信信号は主に広帯域信号のみを抽出したものとなる。また、合成器１６から出力される干渉除去後の受信信号の一部はエラー信号ｅ（ｔ）として干渉信号推定部１４に入力される。
【０１８５】
以上のように、本例の干渉信号除去装置では、例えば受信系の伝送路で複数の狭帯域干渉信号が含まれる広帯域信号の受信信号ｒ（ｔ）に対して、干渉信号電力推定部１１が当該受信信号ｒ（ｔ）に含まれる干渉信号の電力を推定し、雑音発生部１２が当該推定結果に基づいて任意の雑音を発生させ、加算回路１３が当該受信信号ｒ（ｔ）と当該雑音とを加算合成し、干渉信号推定部１４が当該雑音が加えられた受信信号ｗ（ｔ）から干渉信号を推定し、干渉信号抽出部１５が当該推定結果に基づいて当該雑音が加えられた受信信号ｗ（ｔ）から干渉信号Ｖ（ｔ）を抽出し、合成器１６が当該抽出された干渉信号Ｖ（ｔ）を用いて受信信号ｒ（ｔ）から当該干渉信号Ｖ（ｔ）を除去し、これにより、広帯域の希望信号のみを抽出して出力する。
【０１８６】
従って、本例の干渉信号除去装置では、このように受信信号ｒ（ｔ）に雑音を加える構成により、上記第１実施例の場合と同様な効果を得ることができる。具体的には、本例の干渉信号除去装置では、干渉信号の電力に応じた干渉除去の制御を行って、受信信号ｒ（ｔ）に加えられる雑音を干渉信号の推定及び抽出に関わる部分で制御することにより、特定のレベルに達しない信号に関しては雑音下に埋もれさせ、これにより、このような信号が干渉信号として推定及び抽出されることを防ぐことができる。
【０１８７】
なお、本例の干渉信号除去装置では、受信信号ｒ（ｔ）に雑音を付加していることから、例えば上記第１実施例の場合と同様な効果を得ることができる上に、更に、雑音を付加する構成において受信信号ｒ（ｔ）をアナログ信号のまま扱うことが可能であり、例えば特開平６−１６４３２０号公報に記載されているフィルタ回路のようなアナログ演算素子を用いるような場合に有効に作用する。ここで、この文献には、ＦＩＲ型のフィルタやＩＩＲ型のフィルタとして機能するフィルタ回路が記載されている。
【０１８８】
また、受信信号ｒ（ｔ）に雑音を付加することをデジタル回路により実現することも容易に可能であり、具体的には、例えば擬似雑音系列を用いて雑音を構成してそのレベル制御を行った後に、当該レベル制御後の雑音を受信信号ｒ（ｔ）に加算することで実現される。
【０１８９】
ここで、本例では、干渉信号電力推定部１１により本発明に言う干渉信号レベル推定手段が構成されており、雑音発生回路１２や加算回路１３により本発明に言う入力信号制御手段が構成されており、干渉信号推定部１４により本発明に言う干渉信号推定手段が構成されており、干渉信号抽出部１５により本発明に言う干渉信号抽出手段が構成されており、合成器１６により本発明に言う干渉信号除去手段が構成されている。また、本例では、干渉信号抽出手段は雑音が加えられた入力信号から干渉信号を抽出している。
【０１９０】
次に、本発明の第３実施例に係る干渉信号除去装置を図面を参照して説明する。
図３には、本発明に係る干渉信号除去装置の一例を示してあり、この干渉信号除去装置には、干渉信号電力推定部２１と、第１の乗算器２２と、干渉信号推定部２３と、干渉信号抽出部２４と、第２の乗算器２５と、合成器２６とが備えられている。この干渉信号除去装置では、広帯域の希望信号と複数の狭帯域の干渉信号とが合成された受信信号ｒ（ｔ）が入力信号として干渉信号電力推定部２１及び第１の乗算器２２及び合成器２６に入力される。なお、ｔは時刻を示す。
【０１９１】
ここで、本例の干渉信号除去装置の構成は、受信信号ｒ（ｔ）の有効語長を制限するのではなく受信信号ｒ（ｔ）に１未満の制御係数αを乗算する等といった点を除いては、例えば上記第１実施例の図１に示した干渉信号除去装置の構成と同様であり、本例では、異なる構成部分について詳しく説明する。
【０１９２】
干渉信号電力推定部２１は、入力される受信信号ｒ（ｔ）から干渉信号の電力を推定し、当該推定結果に基づいて算出される制御係数αを第１の乗算器２２へ出力するとともに、当該制御係数αの逆数（１／α）を第２の乗算器２５へ出力する。
第１の乗算器２２は、入力される受信信号ｒ（ｔ）と干渉信号電力推定部２１から入力される制御係数αとを乗算することで当該受信信号ｒ（ｔ）を絞り、当該乗算結果として得られるα倍された受信信号ｗ（ｔ）を干渉信号推定部２３及び干渉信号抽出部２４へ出力する。
【０１９３】
このようにして受信信号ｒ（ｔ）に１未満の制御係数αを乗算すると、広帯域信号と比較的低いレベルの干渉信号を量子化雑音レベル以下にすることができ、これにより、干渉信号推定部２３においては受信レベルの低い干渉信号や広帯域信号の周波数成分が推定されてしまうことを防止することができ、また、干渉信号抽出部２４においては干渉信号と同時に広帯域信号が抽出されてしまうことを防止することができる。なお、受信信号ｒ（ｔ）に制御係数αを乗算した場合に演算の有効桁から落ちる桁の部分については例えば計算上ゼロとなる。
【０１９４】
干渉信号推定部２３は、例えばＬＭＳ等の一般的な適応アルゴリズムを用いて、入力されるα倍された受信信号ｗ（ｔ）及び合成器２６から出力される干渉除去後の受信信号の一部ｅ（ｔ）から干渉信号を推定し、当該推定結果である干渉信号推定係数ｈ（ｔ）を干渉信号抽出部２４へ出力する。
干渉信号抽出部２４は、干渉信号推定部２３から入力される干渉信号推定係数ｈ（ｔ）に基づいて、入力されるα倍された受信信号ｗ（ｔ）から干渉信号Ｖ（ｔ）を抽出し、抽出した干渉信号Ｖ（ｔ）を第２の乗算器２５へ出力する。
【０１９５】
第２の乗算器２５は、干渉信号抽出部２４から入力される干渉信号Ｖ（ｔ）と干渉信号電力推定部２１から入力される値（１／α）とを乗算することで出力レベルの補正を行い、当該乗算結果をレベル補正がなされた干渉信号Ｖ’（ｔ）として合成器２６へ出力する。
【０１９６】
合成器２６は、入力される受信信号ｒ（ｔ）から第２の乗算器２５から入力されるレベル補正後の干渉信号Ｖ’（ｔ）を減算することで、当該受信信号ｒ（ｔ）から当該干渉信号Ｖ’（ｔ）を除去し、当該干渉除去後の受信信号を当該干渉信号除去装置から出力する。ここで、適切な干渉信号Ｖ（ｔ）が抽出された場合には、干渉除去後の受信信号は主に広帯域信号のみを抽出したものとなる。また、合成器２６から出力される干渉除去後の受信信号の一部はエラー信号ｅ（ｔ）として干渉信号推定部２３に入力される。
【０１９７】
以上のように、本例の干渉信号除去装置では、例えば受信系の伝送路で複数の狭帯域干渉信号が含まれる広帯域信号の受信信号ｒ（ｔ）に対して、干渉信号電力推定部２１が当該受信信号ｒ（ｔ）に含まれる干渉信号の電力を推定し、第１の乗算器２２が当該推定結果に基づく制御係数αと当該受信信号ｒ（ｔ）とを乗算し、干渉信号推定部２３が当該制御係数αが乗算された受信信号ｗ（ｔ）から干渉信号を推定し、干渉信号抽出部２４が当該推定結果に基づいて当該制御係数αが乗算された受信信号ｗ（ｔ）から干渉信号Ｖ（ｔ）を抽出し、第２の乗算器２５が当該抽出された干渉信号Ｖ（ｔ）を（１／α）倍することにより出力レベル補正を行い、合成器２６が当該レベル補正がなされた干渉信号Ｖ’（ｔ）を用いて受信信号ｒ（ｔ）から当該干渉信号Ｖ’（ｔ）を除去し、これにより、広帯域の希望信号のみを抽出して出力する。
【０１９８】
従って、本例の干渉信号除去装置では、このように受信信号ｒ（ｔ）に１未満の制御係数αを乗算する構成により、上記第１実施例の場合と同様な効果を得ることができる。具体的には、本例の干渉信号除去装置では、干渉信号の電力に応じた干渉除去の制御を行って、受信信号ｒ（ｔ）のレベルを制御係数αにより干渉信号の推定及び抽出に関わる部分で制御することにより、特定のレベルに達しない信号に関しては雑音下に埋もれさせ、これにより、このような信号が干渉信号として推定及び抽出されることを防ぐことができる。
【０１９９】
なお、本例のように受信信号ｒ（ｔ）に１未満の制御係数αを乗算すると、例えば上記第１実施例で示した有効語長制限と同様な効果を得ることができる。
例えば、演算語長を１６ビットに固定した場合に、制御係数α＝０．１２５を用いると３ビットの有効語長制限を受信信号ｒ（ｔ）に対して行ったのと同様な効果を得ることができ、制御係数α＝０．５を用いると１ビットの有効語長制限を受信信号ｒ（ｔ）に対して行ったのと同様な効果を得ることができ、また、制御係数αの値を（１／（２のべき乗））以外の数値とすることでより細やかな制御を行うことも可能である。
【０２００】
また、本例の構成では、干渉信号抽出部２４において干渉信号Ｖ（ｔ）がレベルの絞られた受信信号ｗ（ｔ）から抽出されるため、第２の乗算器２５により元のレベルに戻す操作を行っている。
なお、上記第１実施例の場合と同様に干渉除去後に残したい有効な信号を量子化雑音レベル以下にすることが目的であるため、例えば第２の乗算器２５を第１の乗算器２２の直後に直列に配置してレベル補正を行うのも好ましく、この場合、干渉信号抽出部２４の入力レンジを無駄に捨てることなく演算が可能となり、量子化雑音の除去効果を得やすくなる。
【０２０１】
ここで、本例では、干渉信号電力推定部２１により本発明に言う干渉信号レベル推定手段が構成されており、干渉信号電力推定部２１や第１の乗算器２２により本発明に言う入力信号制御手段が構成されており、干渉信号推定部２３により本発明に言う干渉信号推定手段が構成されており、干渉信号抽出部２４や第２の乗算器２５により本発明に言う干渉信号抽出手段が構成されており、合成器２６により本発明に言う干渉信号除去手段が構成されている。また、本例では、干渉信号抽出手段は制御係数が乗算された入力信号から干渉信号を抽出している。
【０２０２】
次に、本発明の第４実施例に係る干渉信号除去装置を図面を参照して説明する。
図４には、本発明に係る干渉信号除去装置の一例を示してあり、この干渉信号除去装置には、干渉信号電力推定部３１と、語長制限部３２と、干渉信号推定部３３と、干渉信号抽出部３４と、合成器３５とが備えられている。この干渉信号除去装置では、広帯域の希望信号と複数の狭帯域の干渉信号とが合成された受信信号ｒ（ｔ）が入力信号として干渉信号電力推定部３１及び語長制限部３２及び干渉信号抽出部３４及び合成器３５に入力される。なお、ｔは時刻を示す。
【０２０３】
ここで、本例の干渉信号除去装置の構成は、有効語長が制限された受信信号ｗ（ｔ）ではなく受信信号ｒ（ｔ）そのままから干渉信号抽出部３４により干渉信号を抽出するといった点を除いては、例えば上記第１実施例の図１に示した干渉信号除去装置の構成と同様であり、本例では、異なる構成部分について詳しく説明する。
【０２０４】
干渉信号電力推定部３１は、入力される受信信号ｒ（ｔ）から干渉信号の電力を推定し、当該推定結果を語長制限部３２に通知する。
語長制限部３２は、干渉信号電力推定部３１から通知される推定結果に基づいて、入力される受信信号ｒ（ｔ）の有効語長を制限して、当該有効語長制限後の受信信号ｗ（ｔ）を干渉信号推定部３３へ出力する。
【０２０５】
ここで、語長制限部３２では、受信信号ｒ（ｔ）をデジタル値のデータとしてその有効語長を制限する。具体的に、データを語長制限する仕方としては、一例として、受信信号ｒ（ｔ）が１６ビットのデータであって、その内で広帯域信号の有効語長が６ビット相当である場合には、例えば下位の７ビットに語長制限をかけて上位の９ビットを語長制限後の受信信号ｗ（ｔ）とする。また、他の例として、受信信号ｒ（ｔ）が１６ビットのデータであって、その内で広帯域信号の有効語長が４ビット相当である場合には、例えば下位の５ビットに語長制限をかけて上位の１１ビットを語長制限後の受信信号ｗ（ｔ）とする。
【０２０６】
このようにして受信信号ｒ（ｔ）の有効語長を制限すると、広帯域信号と比較的低いレベルの干渉信号を量子化雑音レベル以下にすることができ、これにより、干渉信号推定部３３において受信レベルの低い干渉信号や広帯域信号の周波数成分が推定されてしまうことを防止することができる。
【０２０７】
また、演算によって有効語長を制限する仕方としては、例えば１６ビットのデータにＦＦＦ０（Ｈ：１６進数）等をＡＮＤ（論理積）演算するといった簡易な構成による仕方を用いることができる。具体例として、１６ビットのデータにＦＦＦ０をＡＮＤ演算すると、当該データの上位１２ビットの値（“１”値或いは“０”値）をそのまま残して、下位４ビットの値を全て“０”値にすることができ、結果として、当該データを１２ビットに語長制限することができる。
【０２０８】
干渉信号推定部３３は、例えばＬＭＳ等の一般的な適応アルゴリズムを用いて、入力される有効語長制限後の受信信号ｗ（ｔ）及び合成器３５から出力される干渉除去後の受信信号の一部ｅ（ｔ）から干渉信号を推定し、当該推定結果である干渉信号推定係数ｈ（ｔ）を干渉信号抽出部３４へ出力する。
干渉信号抽出部３４は、干渉信号推定部３３から入力される干渉信号推定係数ｈ（ｔ）に基づいて、入力される受信信号ｒ（ｔ）から干渉信号Ｖ（ｔ）を抽出し、抽出した干渉信号Ｖ（ｔ）を合成器３５へ出力する。
【０２０９】
合成器３５は、入力される受信信号ｒ（ｔ）から干渉信号抽出部３４から入力される干渉信号Ｖ（ｔ）を減算することで、当該受信信号ｒ（ｔ）から当該干渉信号Ｖ（ｔ）を除去し、当該干渉除去後の受信信号を当該干渉信号除去装置から出力する。ここで、適切な干渉信号Ｖ（ｔ）が抽出された場合には、干渉除去後の受信信号は主に広帯域信号のみを抽出したものとなる。また、合成器３５から出力される干渉除去後の受信信号の一部はエラー信号ｅ（ｔ）として干渉信号推定部３３に入力される。
【０２１０】
以上のように、本例の干渉信号除去装置では、例えば受信系の伝送路で複数の狭帯域干渉信号が含まれる広帯域信号の受信信号ｒ（ｔ）に対して、干渉信号電力推定部３１が当該受信信号ｒ（ｔ）に含まれる干渉信号の電力を推定し、語長制限部３２が当該推定結果に基づいて当該受信信号ｒ（ｔ）の有効語長を制限し、干渉信号推定部３３が当該有効語長制限された受信信号ｗ（ｔ）から干渉信号を推定し、干渉信号抽出部３４が当該推定結果に基づいて受信信号ｒ（ｔ）から干渉信号Ｖ（ｔ）を抽出し、合成器３５が当該抽出された干渉信号Ｖ（ｔ）を用いて受信信号ｒ（ｔ）から当該干渉信号Ｖ（ｔ）を除去し、これにより、広帯域の希望信号のみを抽出して出力する。
【０２１１】
従って、本例の干渉信号除去装置では、受信信号ｒ（ｔ）に含まれる干渉信号を除去するに際して、特定の電力を超える干渉信号に関してのみ干渉除去の制御を行い、それぞれの干渉信号に応じて干渉信号除去処理を変化させることにより、干渉除去処理を行わない方が特性がよい干渉信号に関しては干渉除去が行われないような制御が可能となることから、例えば従来において干渉信号と共に本来受信処理を行いたい希望信号までも抽出して除去してしまっていたことにより生じていた受信品質の劣化を防ぐことができ、これにより、干渉除去後の受信信号のビット誤り率を向上させることができる。
【０２１２】
具体的には、本例の干渉信号除去装置では、干渉信号の電力に応じた干渉除去の制御を行って、受信信号ｒ（ｔ）の語長を干渉信号の推定に関わる部分で制限することにより、特定のレベルに達しない信号に関しては量子化雑音に埋もれさせ、これにより、このような信号が干渉信号として推定されることを防ぐことができる。
また、本例の干渉信号除去装置では、例えば広帯域信号に含まれる狭帯域干渉信号が複数重畳されて受信された場合においても、広帯域の周波数信号内の干渉信号を適切に除去することが可能である。
【０２１３】
なお、上記図１６を用いて説明したように、本例の干渉信号除去装置では、干渉除去により広帯域信号成分も多少抽出されて除去されることとなり、上記第１実施例の場合と比べて特性劣化が生じることも予想されるが、例えば上記図１６（ｂ）に示したように雑音レベルを高く設定した場合に有効語長制限後の受信信号ｗ（ｔ）から干渉信号を抽出することとすると干渉信号抽出時に残る雑音成分により生じる特性劣化が大きくなってしまうようなときには、有効に作用する。
【０２１４】
特に、例えば干渉信号除去装置からの出力信号が入力されるアナログ受信入力部の過入力を防ぐために干渉信号除去装置を用いる場合や、実際の信号のレベルと比べて過入力を想定したアナログ／デジタル変換器（ＡＤＣ：Analog/Digital Converter）のダイナミックレンジが不足するために干渉信号除去装置を用いる場合や、干渉信号除去装置を多段に接続するような場合などにおいて、受信入力レベルと語長制限を行うレベルとが大幅に異なることが想定されるようなときに有効である。
【０２１５】
このように、本例の干渉信号除去装置では、干渉信号の除去作用を制御することにより、従来と比較して、広帯域信号と比べて狭帯域干渉信号の電力が同程度か或いは小さい場合における受信特性を改善することができる。
【０２１６】
ここで、本例では、干渉信号電力推定部３１により本発明に言う干渉信号レベル推定手段が構成されており、語長制限部３２により本発明に言う入力信号制御手段が構成されており、干渉信号推定部３３により本発明に言う干渉信号推定手段が構成されており、干渉信号抽出部３４により本発明に言う干渉信号抽出手段が構成されており、合成器３５により本発明に言う干渉信号除去手段が構成されている。また、本例では、干渉信号抽出手段は入力信号そのままから干渉信号を抽出している。
【０２１７】
次に、本発明の第５実施例に係る干渉信号除去装置を図面を参照して説明する。
図５には、本発明に係る干渉信号除去装置の一例を示してあり、この干渉信号除去装置には、干渉信号電力推定部４１と、雑音発生回路４２と、加算回路４３と、干渉信号推定部４４と、干渉信号抽出部４５と、合成器４６とが備えられている。この干渉信号除去装置では、広帯域の希望信号と複数の狭帯域の干渉信号とが合成された受信信号ｒ（ｔ）が入力信号として干渉信号電力推定部４１及び加算回路４３及び干渉信号抽出部４５及び合成器４６に入力される。なお、ｔは時刻を示す。
【０２１８】
ここで、本例の干渉信号除去装置の構成は、雑音が加えられた受信信号ｗ（ｔ）ではなく受信信号ｒ（ｔ）そのままから干渉信号抽出部４５により干渉信号を抽出するといった点を除いては、例えば上記第２実施例の図２に示した干渉信号除去装置の構成と同様であり、本例では、異なる構成部分について詳しく説明する。
【０２１９】
干渉信号電力推定部４１は、入力される受信信号ｒ（ｔ）から干渉信号の電力を推定し、当該推定結果を雑音発生回路４２に通知する。
雑音発生回路４２は、干渉信号電力推定部４１から通知される推定結果に基づいて、擬似的な雑音を発生させ、発生させた雑音を加算回路４３へ出力する。
【０２２０】
加算回路４３は、入力される受信信号ｒ（ｔ）と雑音発生回路４２から入力される雑音とを加算合成し、当該合成結果を雑音が加えられた受信信号ｗ（ｔ）として干渉信号推定部４４へ出力する。
【０２２１】
このようにして受信信号ｒ（ｔ）に雑音を加えると、広帯域信号と比較的低いレベルの干渉信号を量子化雑音レベル以下にすることができ、これにより、干渉信号推定部４４において受信レベルの低い干渉信号や広帯域信号の周波数成分が推定されてしまうことを防止することができる。
【０２２２】
干渉信号推定部４４は、例えばＬＭＳ等の一般的な適応アルゴリズムを用いて、入力される雑音が加えられた受信信号ｗ（ｔ）及び合成器４６から出力される干渉除去後の受信信号の一部ｅ（ｔ）から干渉信号を推定し、当該推定結果である干渉信号推定係数ｈ（ｔ）を干渉信号抽出部４５へ出力する。
干渉信号抽出部４５は、干渉信号推定部４４から入力される干渉信号推定係数ｈ（ｔ）に基づいて、入力される受信信号ｒ（ｔ）から干渉信号Ｖ（ｔ）を抽出し、抽出した干渉信号Ｖ（ｔ）を合成器４６へ出力する。
【０２２３】
合成器４６は、入力される受信信号ｒ（ｔ）から干渉信号抽出部４５から入力される干渉信号Ｖ（ｔ）を減算することで、当該受信信号ｒ（ｔ）から当該干渉信号Ｖ（ｔ）を除去し、当該干渉除去後の受信信号を当該干渉信号除去装置から出力する。ここで、適切な干渉信号Ｖ（ｔ）が抽出された場合には、干渉除去後の受信信号は主に広帯域信号のみを抽出したものとなる。また、合成器４６から出力される干渉除去後の受信信号の一部はエラー信号ｅ（ｔ）として干渉信号推定部４４に入力される。
【０２２４】
以上のように、本例の干渉信号除去装置では、例えば受信系の伝送路で複数の狭帯域干渉信号が含まれる広帯域信号の受信信号ｒ（ｔ）に対して、干渉信号電力推定部４１が当該受信信号ｒ（ｔ）に含まれる干渉信号の電力を推定し、雑音発生部４２が当該推定結果に基づいて任意の雑音を発生させ、加算回路４３が当該受信信号ｒ（ｔ）と当該雑音とを加算合成し、干渉信号推定部４４が当該雑音が加えられた受信信号ｗ（ｔ）から干渉信号Ｖ（ｔ）を推定し、干渉信号抽出部４５が当該推定結果に基づいて受信信号ｒ（ｔ）から干渉信号Ｖ（ｔ）を抽出し、合成器４６が当該抽出された干渉信号Ｖ（ｔ）を用いて受信信号ｒ（ｔ）から当該干渉信号Ｖ（ｔ）を除去し、これにより、広帯域の希望信号のみを抽出して出力する。
【０２２５】
従って、本例の干渉信号除去装置では、このように受信信号ｒ（ｔ）に雑音を加える構成により、上記第４実施例の場合と同様な効果を得ることができる。具体的には、本例の干渉信号除去装置では、干渉信号の電力に応じた干渉除去の制御を行って、受信信号ｒ（ｔ）に加えられる雑音を干渉信号の推定に関わる部分で制御することにより、特定のレベルに達しない信号に関しては雑音下に埋もれさせ、これにより、このような信号が干渉信号として推定されることを防ぐことができる。
【０２２６】
なお、本例の干渉信号除去装置では、上記第２実施例で述べたように、雑音をアナログ的に受信信号ｒ（ｔ）に加えることが可能であるため、アナログ演算素子を利用することも可能である。
【０２２７】
ここで、本例では、干渉信号電力推定部４１により本発明に言う干渉信号レベル推定手段が構成されており、雑音発生回路４２や加算回路４３により本発明に言う入力信号制御手段が構成されており、干渉信号推定部４４により本発明に言う干渉信号推定手段が構成されており、干渉信号抽出部４５により本発明に言う干渉信号抽出手段が構成されており、合成器４６により本発明に言う干渉信号除去手段が構成されている。また、本例では、干渉信号抽出手段は入力信号そのままから干渉信号を抽出している。
【０２２８】
次に、本発明の第６実施例に係る干渉信号除去装置を図面を参照して説明する。
図６には、本発明に係る干渉信号除去装置の一例を示してあり、この干渉信号除去装置には、干渉信号電力推定部５１と、第１の乗算器５２と、干渉信号推定部５３と、第２の乗算器５４と、干渉信号抽出部５５と、合成器５６とが備えられている。この干渉信号除去装置では、広帯域の希望信号と複数の狭帯域の干渉信号とが合成された受信信号ｒ（ｔ）が入力信号として干渉信号電力推定部５１及び第１の乗算器５２及び干渉信号抽出部５５及び合成器５６に入力される。なお、ｔは時刻を示す。
【０２２９】
ここで、本例の干渉信号除去装置の構成は、制御係数αが乗算された受信信号ｗ（ｔ）ではなく受信信号ｒ（ｔ）そのままから干渉信号抽出部５５により干渉信号を抽出するといった点を除いては、例えば上記第３実施例の図３に示した干渉信号除去装置の構成と同様であり、本例では、異なる構成部分について詳しく説明する。
【０２３０】
干渉信号電力推定部５１は、入力される受信信号ｒ（ｔ）から干渉信号の電力を推定し、当該推定結果に基づく制御係数αを第１の乗算器５２へ出力するとともに、当該制御係数αの逆数（１／α）を第２の乗算器５４へ出力する。
第１の乗算器５２は、入力される受信信号ｒ（ｔ）と干渉信号電力推定部５１から入力される制御係数αとを乗算することで当該受信信号ｒ（ｔ）を絞り、当該乗算結果として得られるα倍された受信信号ｗ（ｔ）を干渉信号推定部５３へ出力する。
【０２３１】
このようにして受信信号ｒ（ｔ）に１未満の制御係数αを乗算すると、広帯域信号と比較的低いレベルの干渉信号を量子化雑音レベル以下にすることができ、これにより、干渉信号推定部５３において受信レベルの低い干渉信号や広帯域信号の周波数成分が推定されてしまうことを防止することができる。なお、受信信号ｒ（ｔ）に制御係数αを乗算した場合に演算の有効桁から落ちる桁の部分については例えば計算上ゼロとなる。
【０２３２】
干渉信号推定部５３は、例えばＬＭＳ等の一般的な適応アルゴリズムを用いて、入力されるα倍された受信信号ｗ（ｔ）及び合成器５６から出力される干渉除去後の受信信号の一部ｅ（ｔ）から干渉信号を推定し、当該推定結果である干渉信号推定係数ｈ（ｔ）を第２の乗算器５４へ出力する。
【０２３３】
第２の乗算器５４は、干渉信号推定部５３から入力される干渉信号推定係数ｈ（ｔ）と干渉信号電力推定部５１から入力される値（１／α）とを乗算することで出力レベルの補正を行い、当該乗算結果をレベル補正がなされた干渉信号推定係数ｈ’（ｔ）として干渉信号推定部５５へ出力する。
干渉信号抽出部５５は、第２の乗算器５４から入力されるレベル補正後の干渉信号推定係数ｈ’（ｔ）に基づいて、入力される受信信号ｒ（ｔ）から干渉信号Ｖ（ｔ）を抽出し、抽出した干渉信号Ｖ（ｔ）を合成器５６へ出力する。
【０２３４】
合成器５６は、入力される受信信号ｒ（ｔ）から干渉信号抽出部５６から入力される干渉信号Ｖ（ｔ）を減算することで、当該受信信号ｒ（ｔ）から当該干渉信号Ｖ（ｔ）を除去し、当該干渉除去後の受信信号を当該干渉信号除去装置から出力する。ここで、適切な干渉信号Ｖ（ｔ）が抽出された場合には、干渉除去後の受信信号は主に広帯域信号のみを抽出したものとなる。また、合成器５６から出力される干渉除去後の受信信号の一部はエラー信号ｅ（ｔ）として干渉信号推定部５３に入力される。
【０２３５】
以上のように、本例の干渉信号除去装置では、例えば受信系の伝送路で複数の狭帯域干渉信号が含まれる広帯域信号の受信信号ｒ（ｔ）に対して、干渉信号電力推定部５１が当該受信信号ｒ（ｔ）に含まれる干渉信号の電力を推定し、第１の乗算器５２が当該推定結果に基づく制御係数αと当該受信信号ｒ（ｔ）とを乗算し、干渉信号推定部５３が当該制御係数αが乗算された受信信号ｗ（ｔ）から干渉信号を推定し、第２の乗算器５４が当該推定結果を（１／α）倍することにより出力レベル補正を行い、干渉信号抽出部５５が当該レベル補正後の推定結果に基づいて受信信号ｒ（ｔ）から干渉信号Ｖ（ｔ）を抽出し、合成器５６が当該干渉信号Ｖ（ｔ）を用いて受信信号ｒ（ｔ）から当該干渉信号Ｖ（ｔ）を除去し、これにより、広帯域の希望信号のみを抽出して出力する。
【０２３６】
従って、本例の干渉信号除去装置では、このように受信信号ｒ（ｔ）に１未満の制御係数αを乗算する構成により、上記第４実施例の場合と同様な効果を得ることができる。具体的には、本例の干渉信号除去装置では、干渉信号の電力に応じた干渉除去の制御を行って、受信信号ｒ（ｔ）のレベルを制御係数αにより干渉信号の推定に関わる部分で制御することにより、特定のレベルに達しない信号に関しては雑音下に埋もれさせ、これにより、このような信号が干渉信号として推定されることを防ぐことができる。
【０２３７】
なお、本例のように受信信号ｒ（ｔ）に１未満の制御係数αを乗算すると、例えば上記第４実施例で示した有効語長制限と同様な効果を得ることができる。
例えば、演算語長を１６ビットに固定した場合に、制御係数α＝０．１２５を用いると３ビットの有効語長制限を受信信号ｒ（ｔ）に対して行ったのと同様な効果を得ることができ、制御係数α＝０．５を用いると１ビットの有効語長制限を受信信号ｒ（ｔ）に対して行ったのと同様な効果を得ることができ、また、制御係数αの値を（１／（２のべき乗））以外の数値とすることでより細やかな制御を行うことも可能である。
【０２３８】
また、本例の構成では、干渉信号抽出部５３においてレベルの絞られた受信信号ｗ（ｔ）に基づいて干渉信号が推定されるため、第２の乗算器５４により元のレベルに戻す操作を行っている。
なお、上記第４実施例の場合と同様に干渉除去後に残したい有効な信号を量子化雑音レベル以下にすることが目的であるため、例えば第２の乗算器５４を第１の乗算器５２の直後に直列に配置してレベル補正を行うのも好ましく、この場合、干渉信号抽出部５５の入力レンジを無駄に捨てることなく演算が可能となり、量子化雑音の除去効果を得やすくなる。
【０２３９】
ここで、本例では、干渉信号電力推定部５１により本発明に言う干渉信号レベル推定手段が構成されており、干渉信号電力推定部５１や第１の乗算器５２により本発明に言う入力信号制御手段が構成されており、干渉信号推定部５３や第２の乗算器５４により本発明に言う干渉信号推定手段が構成されており、干渉信号抽出部５５により本発明に言う干渉信号抽出手段が構成されており、合成器５６により本発明に言う干渉信号除去手段が構成されている。また、本例では、干渉信号抽出手段は入力信号そのままから干渉信号を抽出している。
【０２４０】
ここで、以上に示した第１実施例〜第６実施例では、受信信号ｒ（ｔ）に含まれる干渉信号の電力を推定した結果に基づいて受信信号ｒ（ｔ）に対して行う有効語長制限や受信信号ｒ（ｔ）に加える雑音のレベルや受信信号ｒ（ｔ）に乗算する制御係数αを制御する構成を示したが、例えば受信信号ｒ（ｔ）に対して行う有効語長制限のビット数を固定値とした構成や、受信信号ｒ（ｔ）に加える雑音のレベルを固定値とした構成や、受信信号ｒ（ｔ）に乗算する制御係数αを固定値とした構成を用いることもできる。このような構成では、例えば受信入力部の過入力を防ぐために特定の電力値を超える干渉信号を除去することが可能であり、特に、干渉信号除去装置が受信入力部の過入力を防ぐためにのみ用いられるような場合に有効である。
【０２４１】
一例として、次に、本発明の第７実施例に係る干渉信号除去装置を図面を参照して説明する。
図７には、本発明に係る干渉信号除去装置の一例を示してあり、この干渉信号除去装置には、語長制限部６１と、干渉信号推定部６２と、干渉信号抽出部６３と、合成器６４とが備えられている。この干渉信号除去装置では、広帯域の希望信号と複数の狭帯域の干渉信号とが合成された受信信号ｒ（ｔ）が入力信号として語長制限部６１及び干渉信号抽出部６３及び合成器６４に入力される。なお、ｔは時刻を示す。
【０２４２】
ここで、本例の干渉信号除去装置の構成は、例えば予め固定的に設定された制御係数により制御される有効語長制限が受信信号ｒ（ｔ）に対して行われるといった点を除いては、例えば上記第４実施例の図４に示した干渉信号除去装置の構成と同様であり、本例では、異なる構成部分について詳しく説明する。
【０２４３】
語長制限部６１は、予め固定的に設定された制御係数により制御されて、入力される受信信号ｒ（ｔ）の有効語長を固定的に設定されたビット数分だけ制限して、当該有効語長制限後の受信信号ｗ（ｔ）を干渉信号推定部６２へ出力する。
このようにして受信信号ｒ（ｔ）の有効語長を制限すると、広帯域信号と比較的低いレベルの干渉信号を固定的に設定された量子化雑音レベル以下にすることができ、これにより、干渉信号推定部６２において受信レベルの低い干渉信号や広帯域信号の周波数成分が推定されてしまうことを防止することができる。
【０２４４】
干渉信号推定部６２は、例えばＬＭＳ等の一般的な適応アルゴリズムを用いて、入力される有効語長制限後の受信信号ｗ（ｔ）及び合成器６４から出力される干渉除去後の受信信号の一部ｅ（ｔ）から干渉信号を推定し、当該推定結果である干渉信号推定係数ｈ（ｔ）を干渉信号抽出部６３へ出力する。
干渉信号抽出部６３は、干渉信号推定部６２から入力される干渉信号推定係数ｈ（ｔ）に基づいて、入力される受信信号ｒ（ｔ）から干渉信号Ｖ（ｔ）を抽出し、抽出した干渉信号Ｖ（ｔ）を合成器６４へ出力する。
【０２４５】
合成器６４は、入力される受信信号ｒ（ｔ）から干渉信号抽出部６３から入力される干渉信号Ｖ（ｔ）を減算することで、当該受信信号ｒ（ｔ）から当該干渉信号Ｖ（ｔ）を除去し、当該干渉除去後の受信信号を当該干渉信号除去装置から出力する。ここで、適切な干渉信号Ｖ（ｔ）が抽出された場合には、干渉除去後の受信信号は主に広帯域信号のみを抽出したものとなる。また、合成器６４から出力される干渉除去後の受信信号の一部はエラー信号ｅ（ｔ）として干渉信号推定部６２に入力される。
【０２４６】
以上のように、本例の干渉信号除去装置では、受信信号ｒ（ｔ）に含まれる干渉信号を除去するに際して、予め固定的に設定された特定の電力を超える干渉信号に関してのみ干渉除去の制御を行うことにより、例えば従来において干渉信号と共に本来受信処理を行いたい希望信号までも抽出して除去してしまっていたことにより生じていた受信品質の劣化を防ぐことができ、これにより、干渉除去後の受信信号のビット誤り率を向上させることができる。
【０２４７】
ここで、本例では、語長制限部６１により本発明に言う入力信号制御手段が構成されており、干渉信号推定部６２により本発明に言う干渉信号推定手段が構成されており、干渉信号抽出部６３により本発明に言う干渉信号抽出手段が構成されており、合成器６４により本発明に言う干渉信号除去手段が構成されている。また、本例では、干渉信号抽出手段は入力信号そのままから干渉信号を抽出している。
【０２４８】
他の例として、次に、本発明の第８実施例に係る干渉信号除去装置を図面を参照して説明する。
図８には、本発明に係る干渉信号除去装置の一例を示してあり、この干渉信号除去装置には、雑音発生回路７１と、加算回路７２と、干渉信号推定部７３と、干渉信号抽出部７４と、合成器７５とが備えられている。この干渉信号除去装置では、広帯域の希望信号と複数の狭帯域の干渉信号とが合成された受信信号ｒ（ｔ）が入力信号として加算回路７２及び干渉信号抽出部７４及び合成器７５に入力される。なお、ｔは時刻を示す。
【０２４９】
ここで、本例の干渉信号除去装置の構成は、例えば予め固定的に設定された電力レベルを有する雑音が受信信号ｒ（ｔ）に加えられるといった点を除いては、例えば上記第５実施例の図５に示した干渉信号除去装置の構成と同様であり、本例では、異なる構成部分について詳しく説明する。
【０２５０】
雑音発生回路７１は、予め固定的に設定された電力レベルを有する擬似的な雑音を発生させ、発生させた雑音を加算回路７２へ出力する。
加算回路７２は、入力される受信信号ｒ（ｔ）と雑音発生回路７１から入力される雑音とを加算合成し、当該合成結果を雑音が加えられた受信信号ｗ（ｔ）として干渉信号推定部７３へ出力する。
【０２５１】
このようにして受信信号ｒ（ｔ）に雑音を加えると、広帯域信号と比較的低いレベルの干渉信号を固定的に設定された量子化雑音レベル以下にすることができ、これにより、干渉信号推定部７３において受信レベルの低い干渉信号や広帯域信号の周波数成分が推定されてしまうことを防止することができる。
【０２５２】
干渉信号推定部７３は、例えばＬＭＳ等の一般的な適応アルゴリズムを用いて、入力される雑音が加えられた受信信号ｗ（ｔ）及び合成器７５から出力される干渉除去後の受信信号の一部ｅ（ｔ）から干渉信号を推定し、当該推定結果である干渉信号推定係数ｈ（ｔ）を干渉信号抽出部７４へ出力する。
干渉信号抽出部７４は、干渉信号推定部７３から入力される干渉信号推定係数ｈ（ｔ）に基づいて、入力される受信信号ｒ（ｔ）から干渉信号Ｖ（ｔ）を抽出し、抽出した干渉信号Ｖ（ｔ）を合成器７５へ出力する。
【０２５３】
合成器７５は、入力される受信信号ｒ（ｔ）から干渉信号抽出部７４から入力される干渉信号Ｖ（ｔ）を減算することで、当該受信信号ｒ（ｔ）から当該干渉信号Ｖ（ｔ）を除去し、当該干渉除去後の受信信号を当該干渉信号除去装置から出力する。ここで、適切な干渉信号Ｖ（ｔ）が抽出された場合には、干渉除去後の受信信号は主に広帯域信号のみを抽出したものとなる。また、合成器７５から出力される干渉除去後の受信信号の一部はエラー信号ｅ（ｔ）として干渉信号推定部７３に入力される。
【０２５４】
以上のように、本例の干渉信号除去装置では、例えば予め固定的に設定されたレベルを有する雑音を受信信号ｒ（ｔ）に加える構成により、上記第７実施例の場合と同様な効果を得ることができる。
なお、本例の干渉信号除去装置では、上記第２実施例で述べたように、雑音をアナログ的に受信信号ｒ（ｔ）に加えることが可能であるため、アナログ演算素子を利用することも可能である。
【０２５５】
ここで、本例では、雑音発生回路７１や加算回路７２により本発明に言う入力信号制御手段が構成されており、干渉信号推定部７３により本発明に言う干渉信号推定手段が構成されており、干渉信号抽出部７４により本発明に言う干渉信号抽出手段が構成されており、合成器７５により本発明に言う干渉信号除去手段が構成されている。また、本例では、干渉信号抽出手段は入力信号そのままから干渉信号を抽出している。
【０２５６】
次に、本発明の実施例に係るダイバーシチ受信装置を図面を参照して説明する。
なお、本実施例では、ダイバーシチ受信装置は例えばＣＤＭＡ方式により無線通信を行う受信機に設けられており、２つのブランチを有している。また、本実施例に係るダイバーシチ受信装置に備えられる干渉信号除去装置としては、例えば上記第１実施例〜上記第８実施例に示したような本発明に係る干渉信号除去装置が用いられており、上記のような受信機により受信される信号（広帯域の希望信号と狭帯域の干渉信号とを含んだ信号）に含まれる干渉信号を除去する。
【０２５７】
以下に示す本実施例に係るダイバーシチ受信装置では、例えば以上に示したような干渉信号除去装置を１以上のブランチに備え、当該ブランチの信号を当該干渉信号除去装置に入力して当該信号に含まれる干渉信号を当該干渉信号除去装置により除去することを可能としている。
【０２５８】
具体的には、ダイバーシチ受信機が有する複数のブランチの内で少なくとも１つのブランチに干渉信号除去装置を備える。そして、必要に応じて、干渉信号除去装置のオン／オフを制御する。このようなオン／オフ制御としては、例えば、干渉信号の電力を検出した結果に基づいて、干渉信号が存在しない場合や或いは存在しても予め設定されたレベルより低い場合には干渉除去動作を行わないように制御することができ、これにより、干渉信号が存在しない場合や低いレベルの干渉信号しか存在しない場合に干渉除去動作を行うと却って特性が劣化してしまうといったことを防止することができる。
【０２５９】
まず、本発明の第９実施例に係るダイバーシチ受信装置を図面を参照して説明する。
図９には、本発明に係るダイバーシチ受信装置の一例を示してあり、このダイバーシチ受信装置には、第１の干渉信号除去装置８１と、第２の干渉信号除去装置８２と、第１の電力比較器８３と、第２の電力比較器８４と、ダイバーシチ受信機８５とが備えられている。
【０２６０】
本例のダイバーシチ受信装置では、ダイバーシチ受信機８５が有する第１のブランチに対応する第１のアンテナにより受信される信号（受信信号１）が第１の干渉信号除去装置８１及び第１の電力比較器８３に入力され、ダイバーシチ受信機８５が有する第２のブランチに対応する第２のアンテナにより受信される信号（受信信号２）が第２の干渉信号除去装置８２及び第２の電力比較器８４に入力される。
【０２６１】
第１の干渉信号除去装置８１は、第１の電力比較器８３によるオン（ＯＮ）／オフ（ＯＦＦ）制御に従って、オンに制御されている場合には、入力される受信信号１に対して干渉除去処理を行い、当該干渉除去後の受信信号１をダイバーシチ受信機８５へ出力する。また、オフに制御されている場合には、第１の干渉信号除去装置８１は、入力される受信信号１をそのままダイバーシチ受信機８５へ出力する。
【０２６２】
第１の電力比較器８３は、入力される受信信号１の電力と例えば予め定められた閾値とを比較し、当該受信信号１の電力が当該閾値を超えている場合には第１の干渉信号除去装置８１をオンにして受信信号１に対する干渉除去処理を行わせる一方、当該受信信号１の電力が当該閾値以下である場合（超えていない場合）には第１の干渉信号除去装置８１をオフにして受信信号１をそのまま出力させる。
【０２６３】
同様に、第２の干渉信号除去装置８２は、第２の電力比較器８４によるオン（ＯＮ）／オフ（ＯＦＦ）制御に従って、オンに制御されている場合には、入力される受信信号２に対して干渉除去処理を行い、当該干渉除去後の受信信号２をダイバーシチ受信機８５へ出力する。また、オフに制御されている場合には、第２の干渉信号除去装置８２は、入力される受信信号２をそのままダイバーシチ受信機８５へ出力する。
【０２６４】
また、第２の電力比較器８４は、入力される受信信号２の電力と例えば予め定められた閾値とを比較し、当該受信信号２の電力が当該閾値を超えている場合には第２の干渉信号除去装置８２をオンにして受信信号２に対する干渉除去処理を行わせる一方、当該受信信号２の電力が当該閾値以下である場合（超えていない場合）には第２の干渉信号除去装置８２をオフにして受信信号２をそのまま出力させる。
【０２６５】
ダイバーシチ受信機８５は、第１の干渉信号除去装置８１から入力される受信信号１及び第２の干渉信号除去装置８２から入力される受信信号２に基づいてダイバーシチ受信を行い、具体的には、例えば受信信号１と受信信号２とでレベルが高い方の信号を選択して受信処理することや、或いは、受信信号１と受信信号２とを適当な比率で合成して当該合成結果を受信処理することを行う。
【０２６６】
以上のように、本例のダイバーシチ受信装置では、例えば広帯域信号と当該広帯域信号の帯域と比べて狭帯域な複数の干渉信号とを含む受信信号から干渉信号を除去する第１の干渉信号除去装置８１及び第２の干渉信号除去装置８２のそれぞれをダイバーシチ受信機８５の２つの入力部に備え、第１の干渉信号除去装置８１及び第２の干渉信号除去装置８２のそれぞれによる干渉除去処理のオン／オフを第１の電力比較器８３及び第２の電力比較器８４により個別に制御することができる。これにより、ダイバーシチ受信に係る各受信信号１、２毎に干渉除去のオン／オフを制御することが実現される。
【０２６７】
また、本例のダイバーシチ受信装置では、それぞれの干渉信号除去装置８１、８２に入力される受信信号１、２の電力と予め定められた閾値とを比較した結果に基づいてそれぞれの干渉信号除去装置８１、８２のオン／オフを制御しており、具体的には、受信信号１、２の電力が閾値を越えた場合に当該受信信号１、２に対応する干渉信号除去装置８１、８２を動作させて干渉除去を行わせる。なお、閾値としては、種々な値が用いられてもよい。また、本例では、受信信号１、２の電力レベルに基づいて干渉信号除去装置８１、８２をオン／オフ制御したが、信号のレベルとしては、例えば振幅等の他のレベルが用いられてもよい。
【０２６８】
従って、本例のダイバーシチ受信装置では、例えば上記図２９の特性例に示されるように広帯域希望信号の電力が狭帯域干渉信号の電力と等しいか或いはそれより大きいときのように干渉除去を行わない方が特性がよくなる条件下においても、各ブランチの受信入力毎に干渉信号除去装置８１、８２を独立にオン／オフ制御することにより、特性の改善をより図ることができる。これにより、例えば広帯域信号の電力と比べて狭帯域干渉信号の電力が同じか或いは小さいような場合においても、より通信品質が劣化しない干渉除去を実現することができる。特に、このような構成は、本例のようにダイバーシチ受信に適用して有効であり、本例のようなダイバーシチ受信装置において干渉信号除去装置を有効に活用して、従来と比べて特性の改善をより図ることができる。
【０２６９】
また、例えばＣＤＭＡのシステムのように受信機の入力レベルが一定の電力になるように電力制御されている場合には、受信信号の電力が特定の電力を超えることは当該受信信号に干渉信号が含まれることを示すため、受信信号の電力の閾値として固定的な値を用いて電力比較を行うことにより、適切に各干渉信号除去装置８１、８２をオン／オフ制御することができる。
【０２７０】
また、例えば第１の電力比較器８３や第２の電力比較器８４をスペクトル分析装置に置き換えた構成を用いることも可能である。この構成では、例えば第１の干渉信号除去装置８１に入力される受信信号１のスペクトル分析を第１のスペクトル分析装置により行い、当該スペクトル分析の結果、希望信号と干渉信号との電力差が例えば予め定められた閾値を超えた場合に、当該第１の干渉信号除去装置８１を作動させて干渉除去処理を行わせ、同様に、例えば第２の干渉信号除去装置８２に入力される受信信号２のスペクトル分析を第２のスペクトル分析装置により行い、当該スペクトル分析の結果、希望信号と干渉信号との電力差が例えば予め定められた閾値を超えた場合に、当該第２の干渉信号除去装置８２を作動させて干渉除去処理を行わせるといったようにして、各干渉信号除去装置８１、８２を個別にオン／オフ制御することができる。
【０２７１】
また、例えば適応制御方式を用いた干渉信号除去装置においては干渉除去処理の動作開始直後では学習が必要なためにすぐには干渉信号の除去が行われないが、好ましい態様として、次のようにして、このようなことを防ぐことができる。すなわち、例えば第１の電力比較器８３の閾値と第２の電力比較器８４の閾値とを異なる値として、各ブランチ間の閾値を例えば１０ｄＢ差をつけておくことにより、干渉信号がフェージングの影響によりレベル変動して干渉信号除去装置８１、８２のオン／オフ切替が頻繁に発生するような境界条件下においても、２つの干渉信号除去装置８１、８２が同時にオフとなることを回避することができ、これにより、より安定した干渉除去を行うことが可能となる。また、このような構成では、干渉信号除去装置８１、８２をオン／オフ切替することによる消費電力を削減することも可能である。このように、ダイバーシチ受信機が有する各ブランチ毎に干渉信号除去装置のオン／オフ制御に関わる動作条件を異なる条件に設定しておく構成も有効である。
【０２７２】
次に、本発明の第１０実施例に係るダイバーシチ受信装置を図面を参照して説明する。
図１０には、本発明に係るダイバーシチ受信装置の一例を示してあり、このダイバーシチ受信装置には、第１の干渉信号除去装置９１と、第２の干渉信号除去装置９２と、電力比較器９３と、ダイバーシチ受信機９４とが備えられている。
【０２７３】
本例のダイバーシチ受信装置では、ダイバーシチ受信機９４が有する第１のブランチに対応する第１のアンテナにより受信される信号（受信信号１）が第１の干渉信号除去装置９１に入力され、ダイバーシチ受信機９４が有する第２のブランチに対応する第２のアンテナにより受信される信号（受信信号２）が第２の干渉信号除去装置９２及び電力比較器９３に入力される。
【０２７４】
なお、本例のダイバーシチ受信装置の構成は、一方の干渉信号除去装置９１が常に動作する一方、他方の干渉信号除去装置９２がオン／オフ制御されるといった点を除いては、例えば上記第９実施例の図９に示したダイバーシチ受信装置の構成と同様であり、本例では、異なる構成について詳しく説明する。
【０２７５】
第１の干渉信号除去装置９１は、常に動作して、入力される受信信号１に対して干渉除去処理を行い、当該干渉除去後の受信信号１をダイバーシチ受信機９４へ出力する。
【０２７６】
第２の干渉信号除去装置９２は、電力比較器９３によるオン（ＯＮ）／オフ（ＯＦＦ）制御に従って、オンに制御されている場合には、入力される受信信号２に対して干渉除去処理を行い、当該干渉除去後の受信信号２をダイバーシチ受信機９４へ出力する。また、オフに制御されている場合には、第２の干渉信号除去装置９２は、入力される受信信号２をそのままダイバーシチ受信機９４へ出力する。
【０２７７】
電力比較器９３は、入力される受信信号２の電力と例えば予め定められた閾値とを比較し、当該受信信号２の電力が当該閾値を超えている場合には第２の干渉信号除去装置９２をオンにして受信信号２に対する干渉除去処理を行わせる一方、当該受信信号２の電力が当該閾値以下である場合（超えていない場合）には第２の干渉信号除去装置９２をオフにして受信信号２をそのまま出力させる。
【０２７８】
ダイバーシチ受信機９４は、第１の干渉信号除去装置９１から入力される受信信号１及び第２の干渉信号除去装置９２から入力される受信信号２に基づいてダイバーシチ受信を行い、具体的には、例えば受信信号１と受信信号２とでレベルが高い方の信号を選択して受信処理することや、或いは、受信信号１と受信信号２とを適当な比率で合成して当該合成結果を受信処理することを行う。
【０２７９】
以上のように、本例のダイバーシチ受信装置では、例えば広帯域信号と当該広帯域信号の帯域と比べて狭帯域な複数の干渉信号とを含む受信信号から干渉信号を除去する第１の干渉信号除去装置９１及び第２の干渉信号除去装置９２のそれぞれをダイバーシチ受信機９４の２つの入力部に備え、一方の干渉信号除去装置９１については常に動作させて干渉除去処理を行うようにし、他方の干渉信号除去装置９２についてはその干渉除去処理のオン／オフを電力比較器９３により制御することができる。
【０２８０】
従って、例えば干渉信号が存在しないときには、第１の干渉信号除去装置９１が常に動作し、第２の干渉信号除去装置９２が常に動作しないことにより、第１の干渉信号除去装置９１における特性劣化分を第２の干渉信号除去装置９２がダイバーシチ受信の効果により補償することができる。また、第１の干渉信号除去装置９１が常に動作しているため、例えば突然に干渉信号が入力された場合においても、すぐに応答して干渉除去を行うことができる。
【０２８１】
なお、本例のダイバーシチ受信装置では、第２の干渉信号除去装置９２に入力される受信信号２の電力と予め定められた閾値とを比較した結果に基づいて第２の干渉信号除去装置９２のオン／オフを制御したが、例えば上記第９実施例で述べたようにスペクトル分析を用いてオン／オフ制御を行うことも可能である。
【０２８２】
次に、本発明の第１１実施例に係るダイバーシチ受信装置を図面を参照して説明する。
図１１には、本発明に係るダイバーシチ受信装置の一例を示してあり、このダイバーシチ受信装置には、第１の干渉信号除去装置１０１と、第２の干渉信号除去装置１０２と、電力比較器１０３と、ダイバーシチ受信機１０４とが備えられている。
【０２８３】
本例のダイバーシチ受信装置では、ダイバーシチ受信機１０４が有する第１のブランチに対応する第１のアンテナにより受信される信号（受信信号１）が第１の干渉信号除去装置１０１に入力され、ダイバーシチ受信機１０４が有する第２のブランチに対応する第２のアンテナにより受信される信号（受信信号２）が第２の干渉信号除去装置１０２に入力される。
【０２８４】
なお、本例のダイバーシチ受信装置の構成は、一方の干渉信号除去装置１０１が常に動作する一方、他方の干渉信号除去装置１０２がオン／オフ制御されるといった点を除いては、例えば上記第９実施例の図９に示したダイバーシチ受信装置の構成と同様であり、本例では、異なる構成について詳しく説明する。
【０２８５】
第１の干渉信号除去装置１０１は、常に動作して、入力される受信信号１に対して干渉除去処理を行い、当該干渉除去後の受信信号１をダイバーシチ受信機１０４及び電力比較器１０３へ出力する。また、第１の干渉信号除去装置１０１は、干渉除去処理において抽出した干渉信号を電力比較器１０３へ出力する。
【０２８６】
第２の干渉信号除去装置１０２は、電力比較器１０３によるオン（ＯＮ）／オフ（ＯＦＦ）制御に従って、オンに制御されている場合には、入力される受信信号２に対して干渉除去処理を行い、当該干渉除去後の受信信号２をダイバーシチ受信機１０４へ出力する。また、オフに制御されている場合には、第２の干渉信号除去装置１０２は、入力される受信信号２をそのままダイバーシチ受信機１０４へ出力する。
【０２８７】
電力比較器１０３は、第１の干渉信号除去装置１０１から入力される干渉除去後の受信信号１の電力と当該第１の干渉信号除去装置１０１から入力される干渉信号の電力とを比較し、当該比較結果に基づいて第２の干渉信号除去装置１０２による干渉除去処理をオン／オフ制御する。
【０２８８】
ここで、具体的には、本例の電力比較器１０３は、干渉除去後の受信信号１の電力と抽出された干渉信号の電力との差が例えば予め定められた閾値を超える場合には第２の干渉信号除去装置１０２をオンにして受信信号２に対する干渉除去処理を行わせる一方、当該差が当該閾値以下である場合（超えていない場合）には第２の干渉信号除去装置１０２をオフにして受信信号２をそのまま出力させる。なお、干渉除去後の受信信号１は、干渉信号が適切に除去されている場合には、主に広帯域の希望信号を含むものとなる。
【０２８９】
ダイバーシチ受信機１０４は、第１の干渉信号除去装置１０１から入力される受信信号１及び第２の干渉信号除去装置１０２から入力される受信信号２に基づいてダイバーシチ受信を行い、具体的には、例えば受信信号１と受信信号２とでレベルが高い方の信号を選択して受信処理することや、或いは、受信信号１と受信信号２とを適当な比率で合成して当該合成結果を受信処理することを行う。
【０２９０】
以上のように、本例のダイバーシチ受信装置では、例えば広帯域信号と当該広帯域信号の帯域と比べて狭帯域な複数の干渉信号とを含む受信信号から干渉信号を除去する第１の干渉信号除去装置１０１及び第２の干渉信号除去装置１０２のそれぞれをダイバーシチ受信機１０４の２つの入力部に備え、一方の干渉信号除去装置１０１については常に動作させて干渉除去処理を行うようにし、他方の干渉信号除去装置１０２についてはその干渉除去処理のオン／オフを電力比較器１０３により制御することができる。このように、本例では、或るブランチの干渉信号除去装置のオン／オフを他のブランチの受信信号等に基づいて制御する。
【０２９１】
従って、本例のダイバーシチ受信装置では、例えば干渉信号が存在しないときには、第１の干渉信号除去装置１０１が常に動作し、第２の干渉信号除去装置１０２が常に動作しないことにより、第１の干渉信号除去装置１０１における特性劣化分を第２の干渉信号除去装置１０２がダイバーシチ受信の効果により補償することができる。また、第１の干渉信号除去装置１０１が常に動作しているため、例えば突然に干渉信号が入力された場合においても、すぐに応答して干渉除去を行うことができる。
【０２９２】
また、本例では、第１の干渉信号除去装置１０１により抽出された干渉信号と干渉除去後の受信信号（希望信号）との電力差が所定の閾値を超えた場合に第２の干渉信号除去装置１０２が遅れて動作させられる構成となっており、これにより、例えば片側のブランチの受信信号１が干渉を受けている場合に反対側のブランチの受信信号２も干渉を受けているとみなして当該ブランチに対応する第２の干渉信号除去装置１０２をオフからオンへ切り替えて動作させることが実現されている。
【０２９３】
次に、本発明の第１２実施例に係るダイバーシチ受信装置を図面を参照して説明する。
図１２には、本発明に係るダイバーシチ受信装置の一例を示してあり、このダイバーシチ受信装置には、干渉信号除去装置１１１と、ダイバーシチ受信機１１２とが備えられている。
【０２９４】
本例のダイバーシチ受信装置では、ダイバーシチ受信機１１２が有する第１のブランチに対応する第１のアンテナにより受信される信号（受信信号１）が直接的にダイバーシチ受信機１１２に入力され、ダイバーシチ受信機１１２が有する第２のブランチに対応する第２のアンテナにより受信される信号（受信信号２）が干渉信号除去装置１１１に入力される。
【０２９５】
干渉信号除去装置１１１は、常に動作して、入力される受信信号２に対して干渉除去処理を行い、当該干渉除去後の受信信号２をダイバーシチ受信機１１２へ出力する。
ダイバーシチ受信機１１２は、入力される受信信号１及び干渉信号除去装置１１１から入力される受信信号２に基づいてダイバーシチ受信を行い、具体的には、例えば受信信号１と受信信号２とでレベルが高い方の信号を選択して受信処理することや、或いは、受信信号１と受信信号２とを適当な比率で合成して当該合成結果を受信処理することを行う。
【０２９６】
以上のように、本例のダイバーシチ受信装置では、例えば広帯域信号と当該広帯域信号の帯域と比べて狭帯域な複数の干渉信号とを含む受信信号から干渉信号を除去する干渉信号除去装置１１１をダイバーシチ受信機１１２の片側の入力部に備えるとともに、ダイバーシチ受信機１１２の反対側の入力部は受信信号１そのままを入力するようにして、当該干渉信号除去装置１１１については常に動作させて干渉除去処理を行うようにし、これにより、干渉信号が発生した場合には２系統あるダイバーシチ受信入力の片側（第２のブランチ）のみ干渉除去を行う。
【０２９７】
従って、例えば干渉信号が存在しないときには、第１のブランチの受信信号１の特性がよく、第２のブランチの受信信号２については干渉信号除去装置１１１が常に動作することにより特性が若干劣化するが、これはダイバーシチ受信機１１２によるダイバーシチ受信の効果により補償することができる。また、例えば干渉信号が存在する場合には、一方の受信信号２側で干渉信号除去装置１１１が動作して干渉除去が行われる一方、他方の受信信号１側では干渉信号の影響を受けることから例えばダイバーシチ合成の効果はあまり得られないが、実用上で有効な程度の品質で受信を行うことは十分に可能である。本例のような構成は、例えば干渉信号除去装置を備えていない既設のダイバーシチ受信装置に新たに干渉信号除去装置を追加するような場合に有効であり、設備負担を最小限に抑えることができる。
【０２９８】
次に、本発明の第１３実施例に係るダイバーシチ受信装置を図面を参照して説明する。
図１３には、本発明に係るダイバーシチ受信装置の一例を示してあり、このダイバーシチ受信装置には、干渉信号除去装置１２１と、電力比較器１２２と、ダイバーシチ受信機１２３とが備えられている。
【０２９９】
本例のダイバーシチ受信装置では、ダイバーシチ受信機１２３が有する第１のブランチに対応する第１のアンテナにより受信される信号（受信信号１）が直接的にダイバーシチ受信機１２３に入力され、ダイバーシチ受信機１２３が有する第２のブランチに対応する第２のアンテナにより受信される信号（受信信号２）が干渉信号除去装置１２１及び電力比較器１２２に入力される。
【０３００】
なお、本例のダイバーシチ受信装置の構成は、干渉信号除去装置１２１がオン／オフ制御されるといった点を除いては、例えば上記第１２実施例の図１２に示したダイバーシチ受信装置の構成と同様であり、本例では、異なる構成について詳しく説明する。
【０３０１】
干渉信号除去装置１２１は、電力比較器１２２によるオン（ＯＮ）／オフ（ＯＦＦ）制御に従って、オンに制御されている場合には、入力される受信信号２に対して干渉除去処理を行い、当該干渉除去後の受信信号２をダイバーシチ受信機１２３へ出力する。また、オフに制御されている場合には、第２の干渉信号除去装置１２１は、入力される受信信号２をそのままダイバーシチ受信機１２３へ出力する。
【０３０２】
電力比較器１２２は、入力される受信信号２の電力と例えば予め定められた閾値とを比較し、当該受信信号２の電力が当該閾値を超えている場合には干渉信号除去装置１２１をオンにして受信信号２に対する干渉除去処理を行わせる一方、当該受信信号２の電力が当該閾値以下である場合（超えていない場合）には干渉信号除去装置１２１をオフにして受信信号２をそのまま出力させる。
【０３０３】
ダイバーシチ受信機１２３は、入力される受信信号１及び干渉信号除去装置１２１から入力される受信信号２に基づいてダイバーシチ受信を行い、具体的には、例えば受信信号１と受信信号２とでレベルが高い方の信号を選択して受信処理することや、或いは、受信信号１と受信信号２とを適当な比率で合成して当該合成結果を受信処理することを行う。
【０３０４】
以上のように、本例のダイバーシチ受信装置では、例えば広帯域信号と当該広帯域信号の帯域と比べて狭帯域な複数の干渉信号とを含む受信信号から干渉信号を除去する干渉信号除去装置１２１をダイバーシチ受信機１２３の片側の入力部に備えるとともに、ダイバーシチ受信機１２３の反対側の入力部は受信信号１そのままを入力するようにして、当該干渉信号除去装置１２１による干渉除去処理のオン／オフを電力比較器１２２により制御することができる。
【０３０５】
従って、例えば上記第１２実施例の場合と同様な効果を得ることができる。また、例えば適応制御方式を用いた干渉信号除去装置においては動作直後では学習時間であるために干渉除去の応答性が悪いが、本例では、干渉信号除去装置１２１のオン／オフを制御することにより、消費電力を削減することができる。特に、本例のような構成は、干渉信号の発生がほとんど起こらないような環境において非常に有効である。
【０３０６】
なお、本例のダイバーシチ受信装置では、干渉信号除去装置１２１に入力される受信信号２の電力と予め定められた閾値とを比較した結果に基づいて干渉信号除去装置１２１のオン／オフを制御したが、例えば上記第９実施例で述べたようにスペクトル分析を用いてオン／オフ制御を行うことも可能である。
【０３０７】
次に、本発明の第１４実施例に係るダイバーシチ受信装置を図面を参照して説明する。
図１４には、本発明に係るダイバーシチ受信装置の一例を示してあり、このダイバーシチ受信装置には、干渉信号除去装置１３１と、電力比較器１３２と、ダイバーシチ受信機１３３とが備えられている。
【０３０８】
本例のダイバーシチ受信装置では、ダイバーシチ受信機１３３が有する第１のブランチに対応する第１のアンテナにより受信される信号（受信信号１）が直接的にダイバーシチ受信機１３３に入力されるとともに、当該受信信号１が電力比較器１３２に入力され、ダイバーシチ受信機１３３が有する第２のブランチに対応する第２のアンテナにより受信される信号（受信信号２）が干渉信号除去装置１３１及び電力比較器１３２に入力される。
【０３０９】
なお、本例のダイバーシチ受信装置の構成は、干渉信号除去装置１３１をオン／オフ制御する電力比較器１３２に係る構成が異なるといった点を除いては、例えば上記第１３実施例の図１３に示したダイバーシチ受信装置の構成と同様であり、本例では、異なる構成について詳しく説明する。
【０３１０】
干渉信号除去装置１３１は、電力比較器１３２によるオン（ＯＮ）／オフ（ＯＦＦ）制御に従って、オンに制御されている場合には、入力される受信信号２に対して干渉除去処理を行い、当該干渉除去後の受信信号２をダイバーシチ受信機１３３へ出力する。また、オフに制御されている場合には、第２の干渉信号除去装置１３１は、入力される受信信号２をそのままダイバーシチ受信機１３３へ出力する。
【０３１１】
電力比較器１３２は、入力される受信信号１の電力及び入力される受信信号２の電力と例えば予め定められた閾値とを比較し、当該受信信号１の電力と当該受信信号２の電力の一方或いは両方が当該閾値を超えている場合には干渉信号除去装置１３２をオンにして受信信号２に対する干渉除去処理を行わせる一方、当該受信信号１の電力及び当該受信信号２の電力のいずれもが当該閾値以下である場合（超えていない場合）には干渉信号除去装置１３２をオフにして受信信号２をそのまま出力させる。つまり、２つの受信信号１、２の内の少なくともいずれか一方の電力が閾値を超えた場合には、干渉信号が存在するとみなして、干渉信号除去装置１３２を動作させて干渉除去処理を行わせる。
【０３１２】
ダイバーシチ受信機１３３は、入力される受信信号１及び干渉信号除去装置１３２から入力される受信信号２に基づいてダイバーシチ受信を行い、具体的には、例えば受信信号１と受信信号２とでレベルが高い方の信号を選択して受信処理することや、或いは、受信信号１と受信信号２とを適当な比率で合成して当該合成結果を受信処理することを行う。
【０３１３】
以上のように、本例のダイバーシチ受信装置では、例えば広帯域信号と当該広帯域信号の帯域と比べて狭帯域な複数の干渉信号とを含む受信信号から干渉信号を除去する干渉信号除去装置１３１をダイバーシチ受信機１３３の片側の入力部に備えるとともに、ダイバーシチ受信機１３３の反対側の入力部は受信信号１そのままを入力するようにして、当該干渉信号除去装置１３１による干渉除去処理のオン／オフを電力比較器１３２により制御することができる。
【０３１４】
従って、例えば上記第１３実施例の場合と同様な効果を得ることができる。また、いずれかの受信信号１、２の電力が閾値を超えた場合に干渉信号除去装置１３１が動作させられて干渉除去処理が行われる構成となっており、このように干渉信号の有無を両方の受信信号１、２を用いて判断することにより、干渉信号の有無をなるべく早めに検出することができ、これにより、干渉信号除去装置１３１のオン／オフ制御を迅速に行うことができる。
【０３１５】
なお、本例のダイバーシチ受信装置では、干渉信号除去装置１３１に入力される受信信号２の電力と予め定められた閾値とを比較した結果に基づいて干渉信号除去装置１３１のオン／オフを制御したが、例えば上記第９実施例で述べたようにスペクトル分析を用いてオン／オフ制御を行うことも可能である。また、例えば上記第９実施例で述べたように、各ブランチの受信信号１、２毎に干渉信号除去装置１３１のオン／オフを制御するための条件を異ならせることも可能である。
【０３１６】
ここで、本発明に係る干渉信号除去装置や基地局装置や移動局装置やダイバーシチ受信装置等の構成としては、必ずしも以上に示したものに限られず、種々な構成が用いられてもよい。
また、本発明の適用分野としては、必ずしも以上に示したものに限られず、本発明は、種々な分野に適用することが可能なものである。
【０３１７】
一例として、本発明は、例えばＷ−ＣＤＭＡ等の次世代携帯電話に係る基地局装置や移動局装置や、ＨＤＲ（High Data Rate）基地局装置などの種々な装置に適用することが可能であり、また、例えばＣＤＭＡ方式を採用した受信機に限られず、本発明は、例えば種々な通信方式を採用する基地局装置や移動局装置や中継局装置等の受信機に適用することも可能なものである。
【０３１８】
また、本発明に係る干渉信号除去装置の構成としては、例えば上記図２０や上記図２２や上記図２３や上記図２４に示したような構成の装置に、本発明に係る干渉信号除去装置を適用することも可能である。
また、本例では、本発明に係る干渉信号除去装置を備えたダイバーシチ受信装置の種々な構成を示したが、これら種々な構成を有するダイバーシチ受信装置において他の干渉信号除去装置を用いることも可能であり、この場合、干渉信号除去装置としては本発明に係る構成に限られずに種々なものを用いることが可能である。
【０３１９】
また、本発明に係る干渉信号除去装置や基地局装置や移動局装置やダイバーシチ受信装置等において行われる各種の処理としては、例えばプロセッサやメモリ等を備えたハードウエア資源においてプロセッサがＲＯＭに格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピーディスクやＣＤ−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【０３２０】
【発明の効果】
以上説明したように、本発明に係る干渉信号除去装置などでは、広帯域の希望信号と狭帯域の干渉信号とを含んだ入力信号から当該干渉信号を除去するに際して、例えば入力信号のデジタル値の有効語長を制限することや入力信号に雑音を加えることや入力信号に１未満の制御係数を乗算することにより入力信号を制御し、制御された入力信号に基づいて入力信号に含まれる干渉信号を推定し、当該推定結果に基づいて入力信号に含まれる干渉信号を抽出し、当該抽出される干渉信号を入力信号から除去するようにしたため、比較的大きいレベルを有する干渉信号のみを推定や抽出して入力信号から除去することができ、これにより、例えば希望信号までも除去してしまうことを抑制して、干渉除去後の入力信号の品質を向上させることができる。
【図面の簡単な説明】
【図１】  本発明の第１実施例に係る干渉信号除去装置の構成例を示す図である。
【図２】  本発明の第２実施例に係る干渉信号除去装置の構成例を示す図である。
【図３】  本発明の第３実施例に係る干渉信号除去装置の構成例を示す図である。
【図４】  本発明の第４実施例に係る干渉信号除去装置の構成例を示す図である。
【図５】  本発明の第５実施例に係る干渉信号除去装置の構成例を示す図である。
【図６】  本発明の第６実施例に係る干渉信号除去装置の構成例を示す図である。
【図７】  本発明の第７実施例に係る干渉信号除去装置の構成例を示す図である。
【図８】  本発明の第８実施例に係る干渉信号除去装置の構成例を示す図である。
【図９】  本発明の第９実施例に係るダイバーシチ受信装置の構成例を示す図である。
【図１０】  本発明の第１０実施例に係るダイバーシチ受信装置の構成例を示す図である。
【図１１】  本発明の第１１実施例に係るダイバーシチ受信装置の構成例を示す図である。
【図１２】  本発明の第１２実施例に係るダイバーシチ受信装置の構成例を示す図である。
【図１３】  本発明の第１３実施例に係るダイバーシチ受信装置の構成例を示す図である。
【図１４】  本発明の第１４実施例に係るダイバーシチ受信装置の構成例を示す図である。
【図１５】  本発明に係る干渉信号除去装置を用いて広帯域信号と狭帯域干渉信号とを含む受信信号から当該干渉信号を除去する場合の様子の一例を示す図である。
【図１６】  本発明に係る干渉信号除去装置を用いて広帯域信号と狭帯域干渉信号とを含む受信信号から当該干渉信号を除去する場合の様子の一例を示す図である。
【図１７】  従来例に係る干渉信号除去装置の構成例を示す図である。
【図１８】  拡散符号系列の一例を説明するための図である。
【図１９】  ＣＤＭＡ方式による広帯域の拡散信号と狭帯域の干渉信号とを含む受信信号のスペクトルの一例を示す図である。
【図２０】  干渉信号除去装置の一例を示す図である。
【図２１】  適応フィルタの構成例を示す図である。
【図２２】  干渉信号除去装置の一例を示す図である。
【図２３】  干渉信号除去装置の一例を示す図である。
【図２４】  干渉信号除去装置の一例を示す図である。
【図２５】  ダイバーシチ受信装置の構成例を示す図である。
【図２６】  ＣＤＭＡ信号に２波のＦＭ信号が干渉した受信信号のスペクトルの一例を示す図である。
【図２７】  干渉信号除去処理の開始直後において干渉信号除去装置から出力される信号のスペクトルの一例を示す図である。
【図２８】  干渉信号除去処理を開始してからしばらくの時間が経過した場合において干渉信号除去装置から出力される信号のスペクトルの一例を示す図である。
【図２９】  干渉信号除去特性の一例を示す図である。
【図３０】  従来例に係る干渉信号除去装置を用いて広帯域信号と狭帯域干渉信号とを含む受信信号から当該干渉信号を除去する場合の様子の一例を示す図である。
【符号の説明】
１、１１、２１、３１、４１、５１・・干渉信号電力推定部、
２、３２、６１・・語長制限部、
３、１４、２３、３３、４４、５３、６２、７３、１４１・・干渉信号推定部、
４、１５、２４、３４、４５、５５、６３、７４、１４２・・干渉信号抽出部、
５、１６、２６、３５、４６、５６、６４、７５、１４３・・合成器、
１２、４２、７１・・雑音発生回路、  １３、４３、７２・・加算回路、
２２、２５、５２、５４・・乗算器、
８１、８２、９１、９２、１０１、１０２、１１１、１２１、１３１、１９１、１９２・・干渉信号除去装置、
８３、８４、９３、１０３、１２２、１３２・・電力比較器、
８５、９４、１０４、１１２、１２３、１３３、１９３・・ダイバーシチ受信機、
【図１】
0004548954.tif 000018
【図２】
0004548954.tif 000019
【図３】
0004548954.tif 000020
【図４】
0004548954.tif 000021
【図５】
0004548954.tif 000022
【図６】
0004548954.tif 000023
【図７】
0004548954.tif 000024
【図８】
0004548954.tif 000025
【図９】
0004548954.tif 000026
【図１０】
0004548954.tif 000027
【図１１】
0004548954.tif 000028
【図１２】
0004548954.tif 000029
【図１３】
0004548954.tif 000030
【図１４】
0004548954.tif 000031
【図１５】
0004548954.tif 000032
【図１６】
0004548954.tif 000033
【図１７】
0004548954.tif 000034
【図１８】
0004548954.tif 000035
【図１９】
0004548954.tif 000036
【図２０】
0004548954.tif 000037
【図２１】
0004548954.tif 000038
【図２２】
0004548954.tif 000039
【図２３】
0004548954.tif 000040
【図２４】
0004548954.tif 000041
【図２５】
0004548954.tif 000042
【図２６】
0004548954.tif 000043
【図２７】
0004548954.tif 000044
【図２８】
0004548954.tif 000045
【図２９】
0004548954.tif 000046
【図３０】
0004548954.tif 000047